(57)【特許請求の範囲】
【請求項１】
各色に対応した複数の潜像担持体を有した画像形成装置であって、前記複数の潜像担持体上に顕像化されたトナー像が一次転写された上で該トナー像を二次転写位置で搬送路の記録材に第１転写体を用いて二次転写可能な第１状態と、前記複数の潜像担持体のうちの一つの潜像担持体及び前記第１転写体より離脱した第２状態と、前記複数の潜像担持体に一次転写位置で当接した上で第１転写体より離脱する第３状態とに切り換えられる第一中間転写体と、前記一つの潜像担持体と対向する位置で前記第一中間転写体とは別の転写位置と該別の転写位置から離脱した位置とに切り換えられる第二中間転写体と、該第二中間転写体のトナー像を記録材に二次転写する位置と同位置から離脱した位置とに切り換えられる第２転写体と、前記第一中間転写体の状態と前記第二中間転写体の一次転写される位置と前記第２転写体の二次転写する位置とを画像形成モードの種類に応じて変更する制御手段と、を有し、前記制御手段は画像形成モードがフルカラーモードにあると前記第一中間転写体を第１離間機構により第１状態に切り換えると共に前記第二中間転写体を第２離間機構により前記第２転写体を第３離間機構によりそれぞれ離脱位置に切り換え、モノクロモードにあると前記第１離間機構により第一中間転写体を第２状態に切り換えると共に第２離間機構により第二中間転写体を一次転写される位置に前記第２転写体を第３離間機構により二次転写する位置に切り換え、更に、画像調整用パターンモードにあると前記第一中間転写体を前記第１離間機構により第３状態に切り換えると共に前記第二中間転写体を第２離間機構により前記第２転写体を第３離間機構によりそれぞれ離脱位置に切り換えることを特徴とする画像形成装置。
【請求項２】
各色に対応した複数の潜像担持体を有した画像形成装置であって、前記複数の潜像担持体上に顕像化されたトナー像が各一次転写位置で一次転写された上で該トナー像を二次転写位置で搬送路の記録材に第１転写体を用いて二次転写可能な第１状態と、前記複数の潜像担持体のうちの一つの潜像担持体の一次転写位置及び前記第１転写体より離脱した第２状態と、前記複数の潜像担持体側に一次転写位置で当接した上で前記第１転写体より離脱する第３状態とに切り換えられ第一中間転写体と、前記一つの潜像担持体より前記一次転写に先立ち仮一次転写されたトナー像を前記第１状態の第一中間転写体に前記一次転写位置で一次転写する一次転写送り状態と該一次転写送り状態から離脱した状態とに切り換えられる第二中間転写体と、前記一つの潜像担持体のトナー像を前記第二中間転写体の位置とは別の位置で記録材に一次転写させる位置と同位置から離脱した位置とに切り換えられる第２転写体と、前記第一中間転写体の状態と前記第二中間転写体の一次転写送り状態と前記第２転写体の一次転写させる位置とを画像形成モードの種類に応じて変更する制御手段と、を有し、前記制御手段は画像形成モードがフルカラーモードにあると前記第一中間転写体を第１離間機構により第１状態に切り換え、前記第二中間転写体を第２離間機構により前記一次転写送り状態に切り換えると共に第３離間機構により第２転写体を前記離脱した位置に切り換え、モノクロモードにあると前記第１離間機構により第一中間転写体を第２状態に切り換えると共に前記第二中間転写体を第２離間機構により前記一次転写送り状態から離脱した位置に切り換えると共に前記第２転写体を第３離間機構により一次転写させる位置に切り換え、更に、画像調整用パターンモードにあると前記第一中間転写体を前記第１離間機構により第３状態に切り換えると共に前記第二中間転写体を第２離間機構により前記一次転写送り状態に前記第２転写体を第３離間機構により離脱位置にそれぞれ切り換えることを特徴とする画像形成装置。
【請求項３】
各色に対応した複数の潜像担持体を有した画像形成装置であって、前記複数の潜像担持体上に顕像化されたトナー像が一次転写された上で該トナー像を仮二次転写位置に移送する第１状態と、前記複数の潜像担持体のうちの一つの潜像担持体および前記仮二次転写位置より離脱した第２状態とに少なくとも切り換えられる第一中間転写体と、前記第一中間転写体より二次転写に先立ち前記仮二次転写位置で仮二次転写されたトナー像を二次転写位置に移送して搬送路の記録材に第１転写体を用いて二次転写可能な二次送り転写状態と、該二次送り転写状態から離脱した状態とに切り換えられる第二中間転写体と、前記一つの潜像担持体のトナー像を記録材に一次転写させる位置と同位置から離脱した位置とに切り換えられる第２転写体と、前記第一中間転写体の状態と前記第二中間転写体の二次送り転写状態と前記第２転写体の一次転写させる位置とを画像形成モードの種類に応じて変更する制御手段と、を有し、前記制御手段は画像形成モードがフルカラーモードにあると前記第一中間転写体を第１離間機構により第１状態に切り換え、第２離間機構により第二中間転写体を二次送り転写状態に切換えると共に前記第２転写体を第３離間機構により一次転写させる位置より離脱する位置に切り換え、モノクロモードにあると前記第１離間機構により第一中間転写体を第２状態に切り換え、第２離間機構により第二中間転写体を前記離脱する状態に切換えると共に前記第２転写体を第３離間機構により一次転写させる位置に切り換え、更に、画像調整用パターンモードにあると前記第一中間転写体を前記第１離間機構により第１状態に切り換え、前記第二中間転写体を前記離脱する状態に切り換えると共に前記第２転写体を第３離間機構により離脱位置に切り換えることを特徴とする画像形成装置。
【請求項４】
請求項１〜３のいずれか一つに記載の画像形成装置において、前記フルカラーモードの場合とモノクロモードの場合とで、トナー像が記録材の同一側の面に転写されることを特徴とする画像形成装置。
【請求項５】
請求項１〜４のいずれか一つに記載の画像形成装置において、前記１つの潜像担持体が、フルカラーモードの場合とモノクロモードの場合とで同じ位置にあることを特徴とする画像形成装置。
【請求項６】
請求項１〜５のいずれか一つに記載の画像形成装置において、前記第一中間転写体に対向して設けられた画像検知手段を備え、該画像検知手段は、すべての前記複数の潜像担持体上に顕像化された後に前記第一中間転写体上に転写された画像パターンを検知し、複数の潜像担持体から転写された画像パターンの互いの位置を合わせることを特徴とする画像形成装置。
【請求項７】
請求項１〜６のいずれか一つに記載の画像形成装置において、前記第一中間転写体が無端ベルト形状であり、第二中間転写体がローラ形状であることを特徴とする画像形成装置。
【請求項８】
請求項１〜７のいずれか一つに記載の画像形成装置において、前記第１転写体および第２転写体がローラ形状であることを特徴とする画像形成装置。
【請求項９】
請求項１〜８のいずれか一つに記載の画像形成装置において、前記複数の潜像担持体のうち記録材搬送経路までの距離が最も近い潜像担持体が、前記一つの潜像担持体であることを特徴とする画像形成装置。
【請求項１０】
請求項１〜５のいずれか一つに記載の画像形成装置において、
モノクロモードでトナー像を記録材へ転写する位置が、フルカラーモードでトナー像を記録材へ転写する位置よりも、記録材搬送方向上流側にあることを特徴とする画像形成装置。
【請求項１１】
請求項１〜１０のいずれか一つに記載の画像形成装置において、前記潜像担持体、帯電手段、クリーニング手段、現像装置を一体に保持したプロセスカートリッジを備えていることを特徴とする画像形成装置。
【請求項１２】
請求項１１に記載のプロセスカートリッジを複数備えていることを特徴とする画像形成装置。
【請求項１３】
請求項２または３に記載の画像形成装置において、第一のモードと第二のモードとで記録材の同一側の面にトナー像が転写されることを特徴とする画像形成装置。
【請求項１４】
請求項１３に記載の画像形成装置において、前記第一のモードと第二のモードとで、第一潜像担持体の回転方向が同一であることを特徴とする画像形成装置。
【発明の詳細な説明】
【技術分野】
【０００１】
本発明は、複写機、プリンタ、プロッタ、ファクシミリ、印刷装置等の電子写真方式の画像形成装置に関するものであり、より詳しくは、像担持体上に形成されたトナー像を中間転写体上に一次転写した後、そのトナー像を二次転写体によって転写材上に転写する間接転写方式を採用した画像形成装置に関するものである。
【背景技術】
【０００２】
現在、画像形成装置として、モノクロ画像を得るモノクロモードの画像形成装置やモノクロ画像とカラー画像を共に選択的に得ることのできるカラー画像形成装置が知られている。  
ところで、カラー画像形成装置として、１つの感光体ドラムとリボルバー方式の現像装置を用いて各色のトナー像を形成し、各トナー像を一次中間転写体に重ね合わせ転写した後、シート状の記録材としての記録紙上に一括転写する方式のカラー画像形成装置が知られている。  
これに対し、近年におけるカラー画像出力装置の高速化、及び高機能化の流れにより、像担持体及びこれに対応した現像装置を含む画像形成ユニットを色別に複数、転写ベルトに対向させた位置に並設し、像担持体上のトナー像を転写紙あるいは転写ベルト上に順次転写させる構成の、いわゆる４連タンデム方式のカラー画像形成装置が主流を占めるようになっている。
【０００３】
このような４連タンデム方式のカラー画像形成装置にあっては、各色の像担持体上に形成されたトナー像を同時的に転写できるために、プリント速度の高速化を図れる利点があるが、従来の１ドラム中間転写方式のカラー画像形成装置に比べ、４連タンデム方式ではその方式上、各色間の色ずれに対しては不利となっており、画像濃度や階調を補正するモードを行う必要性が高い。更には、モノクロの画像形成モードにも関わらず、カラー画像形成モードと同程度の時間がかかってしまう等の課題がある。
【０００４】
モノクロ画像とカラー画像を切り換えて得ることのできるカラー画像形成装置として、例えば、「特許文献１」と、「特許文献２」と、「特許文献３」中の図３とには、単色のモノクロ画像形成ユニットのみを駆動して記録紙にモノクロ画像を得るモードを行い、更に、モノクロ画像形成ユニットの上流側に配備されると共に単色のトナー像以外の複数色トナー像をループ状の中間転写体に順次一次転写する複数色画像形成ユニットを駆動し、中間転写体上に複数色のトナー像を形成し、この中間転写体上の複数色のトナー像及びモノクロ画像形成ユニットのモノクロ画像を記録材上に順次二次転写することでフルカラー画像を得るという、構成が提案されている。
【０００５】
更に、「特許文献５」には、モノクロ画像形成ユニットにより単色トナー像のみを搬送路の記録材に直接転写して記録紙にモノクロ画像を得る第一の画像形成部と、単色を含むすべての複数色のトナー像を中間転写体に一次転写した上で、中間転写体の複数色のトナー像を記録材に二次転写してフルカラー画像を得る４色タンデム方式の第二の画像形成部とを搬送路に並設し、モノクロ画像とフルカラー画像を選択的に得られる構成が提案されている。
【０００６】
更に、「特許文献３」中の図２の実施例と、「特許文献４」とには、モノクロ画像形成ユニットにより単色トナー像のみを搬送路の記録材に直接転写して記録紙にモノクロ画像を得る第一の画像形成部と、第一の画像形成部で転写される色以外の複数色のトナー像をリボルバー方式の現像装置を用いてループ状の中間転写体に一次転写する第二の画像形成部とを搬送路に並設し、モノクロ画像とフルカラー画像を選択的に得られる構成が提案されている。ここで、「特許文献３」中の図２には単色トナー像を得る第一の画像形成部が第二の画像形成部より下流に配置され、「特許文献４」には、逆に、単色トナー像を得る第一の画像形成部が第二の画像形成部より上流に配置されている。
【発明の概要】
【発明が解決しようとする課題】
【０００７】
ところで、「特許文献５」のカラー画像形成装置では、モノクロモードの場合は、フルカラーモードに使用する第二の画像形成部及び中間転写体を止めておくことができ、モノクロ画像プリント時のコスト低減、フルカラー画像ユニットである第二の画像形成部の耐久性向上が図られる。しかし、ここではフルカラーモード用とモノクロモード用の各単色（ブラック）作像ユニットをそれぞれが、即ち、２つ必要としており、装置が大型化しコストアップになってしまう。
【０００８】
一方、「特許文献１」〜「特許文献４」で提案されている各カラー画像形成装置では、フルカラーモード用の画像形成部とモノクロモード用の画像形成部で単色（ブラック）の作像ユニットを共用できる利点がある。しかしながら、このような「特許文献１」〜「特許文献４」で提案されている各カラー画像形成装置を使用して、フルカラーモードの画像形成を行う場合、第一、第二の各画像形成部を共に駆動するので、各色間の色ずれに対して不利となっている。更に、このモノクロ画像形成においても、中間転写体、中間転写体クリーニング部材等がカラー画像形成と同様に動作する必要があるという課題がある。
【０００９】
本発明は上記事情に鑑みなされたものであり、モノクロモード、フルカラーモードあるいは画像調整用パターンモード等の複数の画像形成モード作動を容易に達成でき、明瞭な画像形成を速やかに行える画像形成装置を提供することを目的とする。更に、フルカラーモードの場合にブラックを含む各色の潜像担持体上のトナー像をすべて転写する第一中間転写体と、モノクロモードの場合にブラックの潜像担持体上のトナー像のみを転写する第二中間転写体を設けることで、フルカラーモードの場合は第一中間転写体より記録材に二次転写してフルカラー画像を作成し、モノクロモードの場合は第二中間転写体より記録材に二次転写してモノクロ画像を作成し、この際第一中間転写体を止めることで複数色の作像ユニットの耐久性向上を図れ、しかも、ブラック作像ユニットは１つだけでよいため、コストアップを防ぐことができるという画像形成装置を提供することを目的とする。
【００１０】
更に、フルカラーモードの場合に各色の潜像担持体上のトナー像と、ブラックの潜像担持体上のトナー像を重ねた上ですべて転写する第一中間転写体と、モノクロモードの場合にブラックの潜像担持体上のトナー像を記録材に直接転写することで、複数色の作像ユニットの耐久性向上、コストアップを防ぐことができる画像形成装置を提供することを目的とする。
【００１１】
更に、フルカラーモードの場合に各色の潜像担持体上のトナー像を重ねた上で第二中間転写体を介して記録材に転写する第一中間転写体と、モノクロモードの場合にブラックの潜像担持体上のトナー像を記録材に直接転写することで、複数色の作像ユニットの耐久性向上、コストアップを防ぐことができる画像形成装置を提供することを目的とする。
【課題を解決するための手段】
【００１２】
上記目的を達成するために、請求項１記載の発明では、各色に対応した複数の潜像担持体を有した画像形成装置であって、前記複数の潜像担持体上に顕像化されたトナー像が一次転写された上で該トナー像を二次転写位置で搬送路の記録材に第１転写体を用いて二次転写可能な第１状態と、前記複数の潜像担持体のうちの一つの潜像担持体及び前記第１転写体より離脱した第２状態とに少なくとも切り換えられる第一中間転写体と、前記一つの潜像担持体と対向する位置で前記第一中間転写体とは別の転写位置と該別の転写位置から離脱した位置とに切り換えられる第二中間転写体と、該第二中間転写体のトナー像を記録材に二次転写する位置と同位置から離脱した位置とに切り換えられる第２転写体と、前記第一中間転写体の状態と前記第二中間転写体の一次転写される位置と前記第２転写体の二次転写する位置とを画像形成モードの種類に応じて変更する制御手段と、を有した、ことを特徴とするものである。
【００１５】
請求項２記載の発明では、
各色に対応した複数の潜像担持体を有した画像形成装置であって、前記複数の潜像担持体上に顕像化されたトナー像が各一次転写位置で一次転写された上で該トナー像を二次転写位置で搬送路の記録材に第１転写体を用いて二次転写可能な第１状態と、前記複数の潜像担持体のうちの一つの潜像担持体の一次転写位置及び前記第１転写体より離脱した第２状態と、前記複数の潜像担持体側に一次転写位置で当接した上で前記第１転写体より離脱する第３状態とに切り換えられ第一中間転写体と、前記一つの潜像担持体より前記一次転写に先立ち仮一次転写されたトナー像を前記第１状態の第一中間転写体に前記一次転写位置で一次転写する一次転写送り状態と該一次転写送り状態から離脱した状態とに切り換えられる第二中間転写体と、前記一つの潜像担持体のトナー像を前記第二中間転写体の位置とは別の位置で記録材に一次転写させる位置と同位置から離脱した位置とに切り換えられる第２転写体と、前記第一中間転写体の状態と前記第二中間転写体の一次転写送り状態と前記第２転写体の一次転写させる位置とを画像形成モードの種類に応じて変更する制御手段と、を有し、前記制御手段は画像形成モードがフルカラーモードにあると前記第一中間転写体を第１離間機構により第１状態に切り換え、前記第二中間転写体を第２離間機構により前記一次転写送り状態に切り換えると共に第３離間機構により第２転写体を前記離脱した位置に切り換え、モノクロモードにあると前記第１離間機構により第一中間転写体を第２状態に切り換えると共に前記第二中間転写体を第２離間機構により前記一次転写送り状態から離脱した位置に切り換えると共に前記第２転写体を第３離間機構により一次転写させる位置に切り換え、更に、画像調整用パターンモードにあると前記第一中間転写体を前記第１離間機構により第３状態に切り換えると共に前記第二中間転写体を第２離間機構により前記一次転写送り状態に前記第２転写体を第３離間機構により離脱位置にそれぞれ切り換えることを特徴とするものである。
【００１８】
請求項３記載の発明では、各色に対応した複数の潜像担持体を有した画像形成装置であって、前記複数の潜像担持体上に顕像化されたトナー像が一次転写された上で該トナー像を仮二次転写位置に移送する第１状態と、前記複数の潜像担持体のうちの一つの潜像担持体および前記仮二次転写位置より離脱した第２状態とに少なくとも切り換えられる第一中間転写体と、前記第一中間転写体より二次転写に先立ち前記仮二次転写位置で仮二次転写されたトナー像を二次転写位置に移送して搬送路の記録材に第１転写体を用いて二次転写可能な二次送り転写状態と、該二次送り転写状態から離脱した状態とに切り換えられる第二中間転写体と、前記一つの潜像担持体のトナー像を記録材に一次転写させる位置と同位置から離脱した位置とに切り換えられる第２転写体と、前記第一中間転写体の状態と前記第二中間転写体の二次送り転写状態と前記第２転写体の一次転写させる位置とを画像形成モードの種類に応じて変更する制御手段と、を有し、前記制御手段は画像形成モードがフルカラーモードにあると前記第一中間転写体を第１離間機構により第１状態に切り換え、第２離間機構により第二中間転写体を二次送り転写状態に切換えると共に前記第２転写体を第３離間機構により一次転写させる位置より離脱する位置に切り換え、モノクロモードにあると前記第１離間機構により第一中間転写体を第２状態に切り換え、第２離間機構により第二中間転写体を前記離脱する状態に切換えると共に前記第２転写体を第３離間機構により一次転写させる位置に切り換え、更に、画像調整用パターンモードにあると前記第一中間転写体を前記第１離間機構により第１状態に切り換え、前記第二中間転写体を前記離脱する状態に切り換えると共に前記第２転写体を第３離間機構により離脱位置に切り換えることを特徴とするものである。
【００２１】
請求項４記載の発明では、請求項１〜３のいずれか一つに記載の画像形成装置において、前記フルカラーモードの場合とモノクロモードの場合とで、トナー像が記録材の同一側の面に転写されることを特徴とするものである。
【００２２】
請求項５記載の発明では、請求項１〜４のいずれか一つに記載の画像形成装置において、前記１つの潜像担持体が、フルカラーモードの場合とモノクロモードの場合とで同じ位置にあることを特徴とするものである。
【００２３】
請求項６記載の発明では、請求項１〜５のいずれか一つに記載の画像形成装置において、前記第一中間転写体に対向して設けられた画像検知手段を備え、該画像検知手段は、すべての前記複数の潜像担持体上に顕像化された後に前記第一中間転写体上に転写された画像パターンを検知し、複数の潜像担持体から転写された画像パターンの互いの位置を合わせることを特徴とするものである。
【００２４】
請求項７記載の発明では、請求項１〜６のいずれか一つに記載の画像形成装置において、前記第一中間転写体が無端ベルト形状であり、第二中間転写体がローラ形状であることを特徴とするものである。
【００２５】
請求項８記載の発明では、請求項１〜７のいずれか一つに記載の画像形成装置において、前記第１転写体および第２転写体がローラ形状であることを特徴とするものである。
【００２６】
請求項９記載の発明では、請求項１〜８のいずれか一つに記載の画像形成装置において、前記複数の潜像担持体のうち記録材搬送経路までの距離が最も近い潜像担持体が、前記一つの潜像担持体であることを特徴とするものである。
【００２７】
請求項１０記載の発明では、請求項１〜５のいずれか一つに記載の画像形成装置において、モノクロモードでトナー像を記録材へ転写する位置が、フルカラーモードでトナー像を記録材へ転写する位置よりも、記録材搬送方向上流側にあることを特徴とするものである。
【００２８】
請求項１１記載の発明では、請求項１〜１０のいずれか一つに記載の画像形成装置において、前記潜像担持体、帯電手段、クリーニング手段、現像装置を一体に保持したプロセスカートリッジを備えていることを特徴とするものである。
【００２９】
請求項１２記載の発明では、請求項１１に記載のプロセスカートリッジを複数備えている画像形成装置を特徴とするものである。
【００３０】
請求項１３記載の発明では、請求項２または３に記載の画像形成装置において、第一のモードと第二のモードとで記録材の同一側の面にトナー像が転写されることを特徴とするものである。
【００３１】
請求項１４記載の発明では、請求項１３に記載の画像形成装置において、前記第一のモードと第二のモードとで、第一潜像担持体の回転方向が同一であることを特徴とするものである。
【発明の効果】
【００３２】
本発明によれば、複数の潜像担持体上に顕像化されたトナー像を第一中間転写体へ一次転写した場合はフルカラーモードや画像調整用パターンモードを容易に達成でき、更に、複数の潜像担持体のうちの一つの潜像担持体上に顕像化されたトナー像を第一中間転写体とは別の転写位置から第二中間転写体へ一次転写した場合はモノクロモードを容易に達成できる。また、ブラックのトナー像を形成する画像形成ユニットをフルカラーモード用とモノクロモード用の２つに設けている構成と比較して、ブラックの作像ユニットは一つでよいため、コストダウンとなる。特に、画像調整用パターンモードでは第１離間機構により前記第一中間転写体を第３状態に切り換えると共に第２離間機構により前記第二中間転写体を第３離間機構により第２転写体をそれぞれ離脱位置に切り換えることで、ブラックを含む複数の像担持体上に形成した画像調整用のトナー付着パターン（画像調整用パターン）をすべて第一中間転写体上に転写し、これを第一中間転写体の走行方向における下流側の画像検知手段により検知し、画像濃度や階調を修正する制御を容易に行える（請求項１）。
【００３５】
また、本発明によれば、第二中間転写体が一次転写送り状態に保持されることで、複数の潜像担持体上に顕像化されたトナー像を第一中間転写体へ一次転写できるので、フルカラーモードや画像調整用パターンモードを容易に達成でき、第二中間転写体を一次転写送り状態から離脱した状態に保持し、ブラックの潜像担持体上のトナー像を記録材に直接転写することで、モノクロモードのトナー像を記録材に直接一次転写し良好なモノクロ画像が得られるので、複数色の作像ユニットの耐久性向上、コストアップを防ぐことができる。特に、画像調整用パターンモードでは第１離間機構により前記第一中間転写体を第１状態に切り換えると共に第２離間機構により第二中間転写体を一次転写送り状態より離脱する位置に切り換え、第２転写体を第３離間機構により一次（二次）転写させる位置より離脱する位置に切り換えることで、ブラックを含む複数の像担持体上に形成した画像調整用のトナー付着パターン（画像調整用パターン）をすべて中間転写体上に転写し、これを中間転写体の走行方向における下流側の画像検知手段により検知し、画像濃度や階調を修正する制御を容易に行える（請求項２）。
【００３７】
また、本発明によれば、複数の潜像担持体上に顕像化されたトナー像を一次転写された第一中間転写体がトナー像を仮二次転写位置に移送し、第二中間転写体が仮二次転写位置で仮二次転写されたトナー像を二次転写位置に移送して搬送路の記録材に第１転写体を用いて二次転写するので、フルカラーモードを容易に達成できる。更に、複数の潜像担持体のうちの一つの潜像担持体上に顕像化されたトナー像を直接搬送路の記録材に第２転写体を用いて二次転写するのでモノクロモードを容易に達成できる。特に、モノクロモードの場合において、ブラックの潜像担持体上のトナー像を記録材に直接転写することができ、複数色の作像ユニットの耐久性向上、コストアップを防ぐことができる。特に、画像調整用パターンモードでは第１離間機構により前記第一中間転写体を第１状態に保持すると共に第２離間機構により第二中間転写体を二次送り転写状態より離脱する位置に切り換え、第２転写体を第３離間機構により一次転写させる位置より離脱する位置に切り換えることで、画像調整用パターンモードを容易に達成でき、ブラックを含む複数の像担持体上に形成した画像調整用のトナー付着パターン（画像調整用パターン）をすべて中間転写体上に転写し、これを中間転写体の走行方向における下流側の画像検知手段により検知し、画像濃度や階調を修正する制御を容易に行える（請求項３）。
【００３９】
また、本発明によればトナー像が記録材の同一側の面に転写され、その裏の非画像部が第１転写体に対向するので、モノクロモードの場合でも第１転写体を搬送路から退却させる必要がない（請求項４）。
【００４０】
また、本発明によれば、１つの潜像担持体が移動しないので、特に、露光系を簡素化できるし、潜像担持体の移動により現像や露光の精度に悪影響を及ぼすことがない（請求項５）。
【００４１】
また、本発明によれば、担持体上のたとえば非画像領域に画像調整用のトナー付着パターン（画像調整用パターン）を形成して、中間転写体上に一次転写し、中間転写体の走行方向における下流側の画像検知手段により、画像調整用パターンを対比して位置合わせして、複数画像形成位置ずれを修正する制御を容易に行える。しかも、ここでの位置合わせ動作は従来の４連タンデム方式と同様の方法でおこなうことができる（請求項６）。
【００４２】
また、本発明によれば、画像形成部の切換え構成を簡素化できる。（請求項７）
また、本発明によれば、第一、第二二次転写体を簡素化でき、ベルト形状の場合よりも部品点数が少なくなり、コストダウンとなるし、また、簡単な構成にできる（請求項８）。
【００４３】
また、本発明によれば、一つの潜像担持体が記録材搬送経路に最も近くなるようにレイアウトすることで、一つの潜像担持体および記録材搬送経路周辺の部材の位置を制御手段で切替える際に、部材の移動量を少なく出来る（請求項９）。
【００４４】
また、本発明によれば、第２転写体によるトナー像の記録材への転写位置が記録材搬送方向上流側にあるので、フルカラーよりモノカラーへの切り替えが比較的短時間で行える（請求項１０）。
【００４５】
また、本発明によれば、複数の潜像担持体とその画像形成部をプロセスカートリッジにより複数容易に形成でき、フルカラーの画像形成装置の構成を簡素化できる（請求項１１）。
【００４６】
また、本発明によれば、複数のプロセスカートリッジによりフルカラーとモノカラーの画像形成を行える画像形成装置の構成を簡素化できる（請求項１２）。
【００４７】
また、本発明によれば、第一のモードのときに中間転写体を止めておくことができる。このため、従来のタンデム中間転写方式に比べて、第二潜像担持体や中間転写体の劣化が起こりにくくなるし、これらの部材を長寿命化できる。
【００４８】
さらに、モードに関わらず記録材の同一側の面にトナー像が転写されるので、複数枚出力中に、第一のモードと第二のモードとを記録材ごとで切り替えて使用し、複数枚をまとめて出力する場合に、記録材の画像形成面をそろえて出力することができる。モード切替えに伴って出力前に記録材を反転させる必要が無く、簡素な構成で使い勝手の良い画像形成動作が実現できる。（請求項１３）
また、本発明によれば、モードによらず第一潜像担持体の回転方向が同一なので、第一潜像担持体周りの作像プロセスとして共通のものを使用でき、第一潜像担持体を簡単な構成にできる。また、第一潜像担持体の回転方向を変えるための機構を別途設けたり、制御を別途おこなう必要がなく、装置全体を簡単な構成にできる。（請求項１４）
【図面の簡単な説明】
【００４９】
【図１】本発明に係る画像形成装置としてのカラーデジタル複合機の全体構成を示す断面図である。
【図２】第１実施形態にかかる画像形成部の拡大概略側面図である。
【図３】画像形成部の第２、第３離間機構の要部概略拡大側面説明図で、（ａ）は第１状態を、（ｂ）は第２状態を示す。
【図４】画像形成部の概略図で、（ａ）は第１状態を、（ｂ）は第２状態を、（ｃ）は第３状態を示す。
【図５】画像形成部の各画像形成モードに応じて行われる、第１〜第３離間機構の各部の切り換え態様説明図である。
【図６】画像形成部の第１、第２変形例における各離間機構の要部概略拡大側面説明図である。
【図７】第１実施形態にかかる画像形成部の変形例における各離間機構の切換え態様を示す拡大側面図である。
【図８】第１実施形態の第４変形例における画像形成部の要部概略側面説明図である。
【図９】第２実施形態にかかる画像形成部のフルカラーモードでの切り換え態様を示す概略拡大側面図である。
【図１０】第２実施形態にかかる画像形成部の概略側面図であり、モノクロモードでの切り換え態様を（ａ）に、画像調整時を（ｂ）に示す。
【図１１】第３実施形態にかかる画像形成部の概略側面図であり、フルカラーモードでの切り換え態様を（ａ）に、モノクロモードでの切り換え態様を（ｂ）に示す。
【図１２】第３実施形態にかかる画像形成部の概略側面図であり、画像調整時の切り換え態様を示す。
【図１３】第４実施形態にかかる画像形成部の概略側面図であり、フルカラーモードでの切り換え態様を（ａ）に、モノクロモードでの切り換え態様を（ｂ）に示す。
【図１４】第４実施形態にかかる画像形成部の概略側面図であり、画像調整時の切り換え態様を示す。
【図１５】第５実施形態にかかる画像形成部の概略側面図であり、フルカラーモードでの切り換え態様を（ａ）に、モノクロモードでの切り換え態様を（ｂ）に示す。
【図１６】第５実施形態にかかる画像形成部の概略側面図であり、画像調整時の切り換え態様を示す。
【図１７】第６実施形態にかかる画像形成部の概略側面図であり、フルカラーモードでの切り換え態様を（ａ）に、モノクロモードでの切り換え態様を（ｂ）に示す。
【図１８】第６実施形態にかかる画像形成部の概略側面図であり、画像調整時の切り換え態様を示す。
【図１９】本発明に係る画像形成装置で用いる画像形成部のモード切り換え特性説明図であり、（ａ）は請求項１〜３に関する切り換え態様を、（ｂ）は請求項４〜６に関する切り換え態様を、（ｃ）は請求項７〜９に関する切り換え態様をそれぞれ説明する。
【図２０】第１〜第６実施形態にかかる画像形成部の各構成部材の配置及び機能特性説明図である。
【発明を実施するための形態】
【００５０】
以下、本発明の一実施形態を採用した画像形成装置としてのカラーデジタル複合機の概略構成を図１に示す。このカラーデジタル複合機（画像形成装置）１はその装置本体９９に、各色の階調データに対応して画像形成を行う画像形成部１００、記録体である記録紙Ｐを搬送する給紙部２００、給紙部２００より延びる搬送路Ｒの下流端に設けられた排紙部３００を備えている。更に、図示しないパーソナルコンピュータやファクシミリや画像形成部１００の上部のスキャナユニット９８から受信された画像データに対して所定の画像処理を施す画像処理装置（ＩＰＳ）４００、この画像処理装置４００や画像形成部１００や給紙部２００を制御する制御部５００を備えている。
【００５１】
このカラーデジタル複合機１ではスキャナユニット９８等で読み取られた原稿から送信されるカラー画像情報が画像処理装置（ＩＰＳ）４００において、イエロー、シアン、マゼンタ、ブラックの各色に色分解され、各色の版のデータが形成され、各色の画像形成ユニットの露光装置（光学ユニット）８に送られている。  
ここで、カラーデジタル複合機１の画像形成部１００は、４色分の画像形成ユニット６０Ｙ（イエロー）、６０Ｃ（シアン）、６０Ｍ（マゼンダ）、６０Ｂ（ブラック）を所定位置に着脱自在にずれなく支持する。この４色分の画像形成ユニットの上側に中間転写ユニット１０が、下側に画像処理装置（ＩＰＳ）４００からの各色の版のデータに応じてレーザー光を照射可能な露光装置（光学ユニット）８を対向配備する。なお、光学ユニット８はレーザー方式に限定するものではなく、ＬＥＤ方式などの方式であっても良い。
【００５２】
光学ユニット８の下方には給紙部２００側の給紙ユニット２６が配備され、給紙ユニット２６から延びる搬送路Ｒは中間転写ユニット１０の側方の第１、２の（上流及び下流の）二次転写位置５７ｆ、５７ｒを経て、定着ユニット６を通過して排紙部３００の排紙トレイ１７に達している。  
次に、本発明の第１実施形態の要部を成す画像形成部１００について説明する。
【００５３】
図１に示すように、画像形成部１００は装置本体９９の中央部に４色分の画像形成ユニット６０Ｙ（イエロー）、６０Ｃ（シアン）、６０Ｍ（マゼンダ）、６０Ｂ（ブラック）を配備し、その上側には中間転写ユニット１０の第一中間転写体である第１中間転写ベルト（以後単に中間転写ベルトと記す）１１が配備される。この中間転写ベルト１１は図１において反時計方向に回転移動し、その下部にベルト移動方向Ａ１に沿って直列に４色分の画像形成ユニット６０（４色共通部材の説明では添え字を略す）が配置されたタンデム方式をなしている。
【００５４】
中間転写ユニット１０は、第一中間転写体である中間転写ベルト１１、該中間転写ベルト１１をループ状を成して回動可能に支持する３つの懸架ローラ７２、３３、７４、各感光体ドラム２０に形成されたトナー像を中間転写ベルト１１に転写する一次転写ローラ１２、及び中間転写ベルト１１上に転写されたトナー像を更に記録紙Ｐに転写する後二次転写ローラ６６を備えている。
【００５５】
中間転写ベルト１１との図１において後方側の対向域には装置本体９９に支持された支持ブラケット２３０（図２の２点鎖線参照）が配備され、ここに３つの懸架ローラ７２、３３、７４に懸架された中間転写ベルト１１と、４色の画像形成ユニット６０Ｙ（イエロー）、６０Ｃ（シアン）、６０Ｍ（マゼンダ）、６０Ｂ（ブラック）の各感光体ドラム２０と一次転写位置を介して対向する一次転写ローラ１２が枢支される。なお、６０Ｂ（ブラック）の一次転写ローラ１２Ｂは後述するように切り換え移動可能に設けられる。
【００５６】
図１中、矢印Ａ１は中間転写ベルト１１の移動方向を、矢印Ｂ１は感光体ドラム２０の回転方向を示している。  
図１に示した給紙ユニット２６は、給紙カセット２５あるいは手差し給紙トレイ２７から記録紙Ｐを給紙する給紙ローラ２４、給紙された記録紙Ｐを上流及び下流の前後２箇所の第１、第２二次転写位置５７ｆ、５７ｒに適時に順次搬送するレジストローラ対４等を備えている。  
更に、符号５１は両面ユニットを示している。両面プリント時に記録紙Ｐは排紙ローラ対７でスイッチバックされ、切換え爪２２で両面ユニットの搬送路Ｒ２へ搬送され、搬送ローラ対２３によりレジストローラ対４へ向けて搬送される。符号２８は手差し給紙の給紙ローラを、２９は搬送ローラ対を示す。  
定着ユニット６は、加熱ローラ６２、定着ローラ６５、定着ベルト６４及び加圧ローラ６３を備え、記録紙Ｐ上のトナー像に熱と圧を加えることで定着を行う。
【００５７】
上記構成において、図１、２に示すように、まず１色目、イエローの像担持体ユニット６０Ｙの感光体ドラム２０Ｙが帯電装置７９Ｙによって一様に帯電された後、光学ユニット８から露光位置に照射されたレーザー光によって潜像が形成され、これが現像装置８０Ｙによって現像されてトナー像が形成される。  
感光体ドラム２０Ｙ上に形成されたトナー像は、一次転写ローラ１２Ｙの作用によって中間転写ベルト１１上に一次転写される。一次転写が終了した感光体ドラム２０Ｙはクリーニング装置７１Ｙによってクリーニングされ、次の画像形成に備える。
【００５８】
クリーニング装置７１によって回収された残留トナーは、像担持体ユニットの取り出し方向（感光体ドラムの回転軸方向）に設置された図示しない廃トナー回収ボトルに貯蔵される。廃トナー回収ボトルが満杯になると交換できるように画像形成装置本体に対し着脱自在になっている。  
同様のフルカラーモードでの画像形成工程がＣ、Ｍ、Ｂ用の各像担持体ユニット６０Ｃ、６０Ｍ、６０Ｂにおいても行われて各色のトナー像が形成され、先に形成されたトナー像に順次重ねて転写される。
【００５９】
画像形成部１００の下側には記録紙サイズが異なる給紙トレイ２５、２５が設けられており、各給紙トレイから給紙手段２４により給紙された記録紙Ｐは、図示しない搬送手段により搬送されてレジストローラ対４に達し、ここでスキューを修正されてレジストローラ対４により所定のタイミングで前二次転写位置５７ｆあるいはここを素通りして、後二次転写位置５７ｒにある懸架ローラ７２と後二次転写ローラ（第１転写体）６６へ搬送される。ここで、モノクロモードの場合は第二中間転写体である中間転写ローラ２００と前二次転写ローラ（第２転写体）２０４との間の前二次転写位置５７ｆにおいて二次転写がなされ、後二次転写位置５７ｒではそのまま（転写処理無し）通過する。
【００６０】
フルカラーモードの場合、記録紙Ｐは上流の前二次転写位置５７ｆをそのまま（転写処理無し）通過した後、下流の二次転写位置５７ｒに対向配備された第１転写体である後二次転写ローラ６６の作用によって中間転写ベルト１１上に形成されたトナー像が記録紙Ｐに二次転写される。トナー像を二次転写された記録紙Ｐは定着ユニット６に搬送される。トナー像が転写された記録紙Ｐは、定着ユニット６の定着ローラ６５と加圧ローラ６３のニップ部にてトナー像が定着され、カラー画像が形成される。定着を終えた記録紙Ｐは搬送路Ｒを搬送され、排紙ローラ対７により排紙トレイ１７にフェイスダウン状態で排出されてスタックされる。両面モードの場合には切替え爪２２により搬送経路Ｒ２へ案内され、両面ユニット５１で反転された後、レジストローラ対４へ搬送されて片面コピーと同様の経路を辿る。
【００６１】
二次転写後の中間転写ベルト１１は、クリーニングブレード７６をケース７７内に有するベルトクリーニング装置１３（図１参照）によってクリーニングされる。なお、本実施形態ではブレードタイプのものを用いたが、本発明はこれに限定される趣旨ではなく、ファーブラシローラ、磁気ブラシクリーニング方式であっても良い。
【００６２】
上述のところにおいて、クリーニングブレード７６の上流で二次転写位置５７ｒより下流側で且つ懸架ローラ７４との対向部には画像検知手段２１０が対向配備される。ここで、制御手段５００は画像調整用パターンモードにおいて、画像形成部１００を駆動して像担持体２０上の非画像領域に画像調整用の不図示のトナー付着パターン（画像調整用パターン）を形成し、中間転写ベルト１１の上向き面における下流側に配備した画像検知手段２１０によって、画像調整用パターン、すなわち、設定されている位置合わせ用のラインパターンまたは濃度調整用のラインまたはドットによる濃度階調パターンを検知し、画像形成位置のずれ修正等の制御を容易に行えるようにしている。
【００６３】
中間転写ベルト１１に対設された各像担持体ユニット６０Ｙ、６０Ｃ、６０Ｍ、６０Ｂに新しいトナーを供給するために、装置本体９９の上部にはトナーボトル９Ｙ、９Ｃ、９Ｍ、９Ｋが配備されており、これらを回転させ、パイプを通して各現像装置８０にトナーを搬送している。  
上述のところにおいて、中間転写ベルト１１は単層または複層ベルトである。単層の場合は、ポリフッ化ビニリデン（ＰＶｄＦ）・ポリアミドイミド体（ＰＡ）・ポリイミド体（ＰＩ）・ＥＴＦＥなどを用いて６０〜１５０μｍの厚みに作られる。これらは機械強度を要求される。電気的な特性はカーボンブラックを配合して、１０９〜１０１２Ω・ｃｍに調整してある。なお作成は遠心成型やディッピングなどで作られる。
【００６４】
複層の場合は、上記の基体上に弾性層と表面層が成型される。弾性層はカーボンブラックなどの難燃ゴムに練りこんで形成される。ゴムの素材は難燃性を考慮してクロロプレンゴム類などを、基体と同じ抵抗領域にて形成される。具体的には、基体の成型後にある程度冷却した後に、表面にプライマなどの処理を行った後、ローラコートもしくはディッピングで作られ、そこで加硫される成型方法が適宜採用される。  
最後に、表面層をトナーとの付着力が強くない材料で０．５〜１０μｍの厚みに成型される。表面層の材質としては、ウレタン・ＰＣ・フッソ樹脂・シリコン樹脂類などが多様に考えられる。なお、この層は、薄く１μｍ程度だが、高圧がかかるため、部分放電を起こさないように十分に高抵抗な材質で、スプレーコーディングもしくはディッピングにて製造される。
【００６５】
上述の中間転写ベルト１１は、図２に示すように、ループ状を成して回動可能に懸架ローラ７２、３３、７４、等により張架され、装置本体９９側に基枠２３０を介して支持される。ここで、中間転写ベルト１１を支持する張架部の一部である懸架ローラ７２は搬送路Ｒ上の後二次転写位置５７ｒに対向配備される。更に、懸架ローラ７２には後二次転写位置５７ｒを挟んで第１転写体としての後二次転写ローラ６６が対向配備される。この後二次転写位置５７ｒにおいて、懸架ローラ７２及び中間転写ベルト１１に向けて後二次転写ローラ６６が記録紙Ｐを押圧して転写ニップを形成でき、しかも、懸架ローラ７２にはバイアス８１（図３（ａ）参照）が印加される。この懸架ローラ７２は転写対向ローラであり、記録紙Ｐと中間転写ベルト１１を確実に押えて搬送するために、薄肉のソリッドのゴム材料を芯金にして成型されている。抵抗は二次転写ローラ６６と同抵抗領域が望ましい。
【００６６】
なお、上流、下流の各二次転写ローラ２０４または６６にバイアスを印加することで（ここでは図３中において下流側のみに記載した）、中間転写ベルト１１又は中間転写ローラ２００上に一次転写されている重層されたトナー像を記録紙Ｐへ二次転写する際の転写性能、すなわち転写効率や転写精度を向上できる。即ち、ここでは、二次転写ローラ６６または２０４にトナーと逆極性のバイアスを印加して記録紙Ｐ側へトナーを引き付けることにより転写する（引力による転写）か、もしくは中間転写ベルト１１を支持する懸架ローラ７２または中間転写ローラ２００にトナーと同極性のバイアスを印加して中間転写ベルト１１または中間転写ローラ２００から記録紙Ｐ側へトナーを押しのけることにより転写（斥力による転写）すればよい。また、バイアスが印加されるローラと対向するローラを電気的に接地する構成とすれば、さらに確実に上記転写性能の向上を図れる。
【００６７】
なお、後二次転写ローラ６６は、ウレタンやＥＰＤＭなどにイオン系導電剤（リチウムイオンやナトリウムイオン）やカーボンブラックなどを配合して軸状に成型される。なお表面硬度はアスカＣ１５〜７０度に調整され、表層にさらに別樹脂材（テフロン（登録商標）など）を被覆し、長期のトナーフィルミングなどの影響を除いている。  
更に、中間転写ベルト１１を懸架するその他の懸架ローラ３３及び駆動ローラである懸架ローラ７４は電界を与える用途は無いので、フロートでもよく接地されていてもよい。また、金属ローラでも樹脂ローラでもよい。なお、駆動ローラである懸架ローラ７４の回転軸７４１は支持ブラケット２３０（図２参照）を介し装置本体９９に枢支され、不図示の駆動源から回転力を受け、中間転写ベルト１１をループ状に回動する。
【００６８】
上述のところで、後二次転写位置５７ｒにある懸架ローラ７２と対向する後二次転写ローラ（第１転写体）６６や、前二次転写位置５７ｆで中間転写ローラ２００と対向する前二次転写ローラ（第２転写体）２０４はローラ形状である。このような構成により、ここでの画像形成部１００では中間転写ベルト１１側で、フルカラーモードや画像調整用パターンモードでの色合わせや濃度調整の検知の処理を行う。このため、後二次転写ローラ６６や前二次転写ローラ２０４は比較的簡単なローラ形状でよく、コストダウンを図れる。
【００６９】
ところで、図１、図２に示すように、４色分の画像形成ユニット６０Ｙ（イエロー）、６０Ｃ（シアン）、６０Ｍ（マゼンダ）、６０Ｂ（ブラック）の各感光体ドラム２０は、それぞれが、その周囲に帯電装置７９、光学ユニット８からの露光位置、現像装置８０、一次転写ローラ１２が対向する一次転写位置、クリーニング装置７１を一体に組み付け保持したプロセスカートリッジを成しているので、各画像形成ユニット６０（４色共通部材の説明では添え字を略す）の構成を簡素化できる。しかも、４色分の各画像形成ユニット６０（プロセスカートリッジ）を備えたので、フルカラーとモノカラーの画像形成を行える画像形成部１００の構成を簡素化できる。
【００７０】
次に、図１、図３（ｂ）に示すように、ブラックＢの画像形成ユニット６０Ｂは第一中間転写体である中間転写ベルト１１の下向き面側において走行方向下流端側に配備される。ここでの潜像担持体２０Ｂは、上側の中間転写ベルト１１と対向する一次転写位置Ｐｆ１（他の感光体と共通記載する場合は符号ａで示す）
と、それとは別の第２の一次転写位置Ｐｆ２を備え、そこに第二中間転写体であるローラ形状の中間転写ローラ２００を対向配備している。即ち、ブラック（単色）の感光体ドラム２０Ｂはトナー像を中間転写ベルト１１へ一次転写位置Ｐｆ１より一次転写でき、あるいは、中間転写ローラ２００へ別の一次転写位置Ｐｆ２より一次転写でき、これにより、ブラックの画像形成ユニット６０Ｂ（ブラック）（一つの潜像担持体）の使用をフルカラーモードでもモノクロモードでも可能としている。
【００７１】
ところで、図１、図３（ａ）に示すように、ブラックの画像形成ユニット６０Ｂ（ブラック）の感光体ドラム２０Ｂは、他の３つの感光体ドラム２０よりその外径が比較的大きく形成され、その外周域を比較的大きく確保し、これにより複数の転写手段（２つの一次転写位置Ｐｆ１、Ｐｆ２）の配設位置の確保を容易化している。特に、感光体ドラム２０Ｂは一次転写ローラ１２Ｂが対向する一次転写位置Ｐｆ１の他に、一次転写位置Ｐｆ１に対して感光体ドラム２０Ｂのほぼ９０度程度周方向に互いにずれた外周上の位置Ｐｆ２に対し第二中間転写体である中間転写ローラ２００が対向し、一次転写される位置Ｐ３１（図３（ａ）、（ｂ）に示す位置）に接離可能に保持されている。なお、図３（ｂ）に示すように、中間転写ローラ２００の一次位置Ｐｆ２と反対側には前二次転写位置５７ｆを挟んで第２転写体である前二次転写ローラ２０４が配備される。  
なお、場合により各感光体ドラム２０の配列間隔を比較的大きく確保し、各感光体ドラム２０の外径を比較的大きく設定し、ブラックの感光体ドラム２０Ｂと他の色の感光体ドラム２０の外径とを同一に形成して構成を簡素化してもよい。
【００７２】
次に、ブラックＢ用の像担持体ユニット６０Ｂがフルカラーモードとモノクロモードでの各画像形成工程で駆動する際の切り換え機構を図２、図３に沿って説明する。  
中間転写ベルト１１を張架状態で支持するため、装置本体９９と一体の支持ブラケット２３０（図２に２点鎖線で示す）には、下流の後二次転写位置５７ｒ及びブラックＢの一次転写位置Ｐｆ１の切換えを行う第１離間機構２０１が取り付けられる。更に、第二中間転写体である中間転写ローラ２００が第２の一次転写位置Ｐｆ２においてブラックＢ用の感光体ドラム２０Ｂからトナー像を一次転写される位置Ｐ３１を切り換える第２離間機構２０２と、上流の前二次転写位置５７ｆを挟んで中間転写ローラ２００と接離する第２転写体としての前二次転写ローラ２０４を切り換え作動する第３離間機構２０３とが装置本体９９に第２基枠２４０を介し取り付けられている。  
図２に示すように、第１離間機構２０１は懸架ローラ７２を切り換える屈曲レバー２２０と懸架ローラ３３及び一次転写ローラ１２Ｂを切り換える屈曲レバー２２３を備える。
【００７３】
図２で上方の屈曲レバー２２０はその中央の枢支部が支持ブラケット２３０に枢支され、揺動端に懸架ローラ７２が枢支され、他方の揺動端には切り換え用で、適宜の回転駆動源２５１によりほぼ１８０°回転切り換えされるカム２２２が当接する。カム２２２にはばね２２１の弾性力で屈曲レバー２２０が当接する。ここでカム２２２が退避位置ｂにあると懸架ローラ７２は下流の二次転写位置５７ｒに対向する駆動位置Ｐ１１（図３（ａ）参照）に保持される。カム２２２が押圧位置ｄ（図２の２点鎖線参照）に切り換わると懸架ローラ７２は二次転写位置５７ｒより脱して離間位置Ｐ１２に保持される。
【００７４】
図２で下方の屈曲レバー２２３はその中央部が支持ブラケット２３０に枢支され、揺動長片には感光体ドラム２０Ｂと対向する一次転写ローラ１２Ｂ及び懸架部の懸架ローラ３３がそれぞれ枢支されている。屈曲レバー２２３の他方の短片には適宜の回転駆動源２５２によりほぼ１８０°回転切り換えされるカム２２４が当接する。このカム２２４が退避位置ｂにあると一次転写ローラ１２Ｂは一次転写位置Ｐｆ１に、懸架ローラ３３は駆動位置Ｐ２１に保持される。
【００７５】
カム２２４が押圧位置ｄに切り換わると、感光体ドラム２０Ｂと対向する一次転写ローラ１２が一次転写位置Ｐｆ１より離脱し、懸架ローラ３３は離間位置ｐ２２に保持される。  
ここで、図２に示すように、懸架ローラ７２が駆動位置Ｐ１１に、懸架ローラ３３及び一次転写ローラ１２Ｂを駆動位置Ｐ２１に共に切り換わることで第一状態（第一懸架状態）ｍ１（図４（ａ）参照）が保持される。更に、懸架ローラ７２が離間位置Ｐ１２に、懸架ローラ３３及び一次転写ローラ１２Ｂが離間位置Ｐ２２に共に切り換わることで第二状態（第二状態）ｍ２（図４（ｂ）参照）が保持される。更に、懸架ローラ７２が離間位置Ｐ１２に切り換わり懸架ローラ３３及び一次転写ローラ１２Ｂが駆動位置Ｐ２１を保持することで第三状態（第三懸架状態）ｍ３（図４（ａ）参照）が保持される。更に、一次転写ローラ１２Ｂが一次転写位置Ｐｆ１より離脱した際に、あるいは、懸架ローラ７２、懸架ローラ３３及び一次転写ローラ１２Ｂが各位置を順次切り換えた際に、中間転写ベルト１１の状態に緩みや過度の張力が加わることがないように予め両ローラ７２、３３、１２Ｂの切り換え位置の設定がなされることとなる。  
なお、図２に示すように、第１離間機構２０１は懸架ローラ７２及び懸架ローラ３３を駆動位置Ｐ１１、Ｐ２１と離間位置Ｐ１２、Ｐ２２に交互に切り換えるが、その切換え制御は回転駆動源２５１、２５２を切り換え作動させる制御部５００により行なわれる。
【００７６】
図３（ａ）、（ｂ）に示すように、第２離間機構２０２は、第二中間転写体としての中間転写ローラ２００を切り換えるＬ形レバー２２６を備える。Ｌ形レバー２２６は装置本体９９側の第２基枠２４０に屈曲部が枢支され、一方の延出部の先端に中間転写ローラ２００が枢支され、他方の延出部の端部近傍の下面にカム２３１が当接する。この他方の延出部の端部近傍の上面には支持ブラケット２４０の係止片２４１に一端が支持された圧縮ばね２２７の他端が押圧力を加えるよう当接する。これにより、ブラックＢの感光体ドラム２０Ｂと対向し、中間転写ベルト１１とは別の一次転写位置Ｐｆ２と対向することで一次転写される位置Ｐ３１（転写位置）と該一次転写される位置Ｐ３１から離脱した位置である離脱位置Ｐ３２とに中間転写ローラ２００を切り換え可能に支持している。
【００７７】
カム２３１が回転駆動源２５３により押圧位置ｄに切り換わると、感光体ドラム２０Ｂの第２の一次転写位置Ｐｆ２に対向する中間転写ローラ２００が一次転写される位置Ｐ３１である転写位置に保持される。カム２３１が退避位置ｂに切り換わると、感光体ドラム２０Ｂと対向する一次転写位置より中間転写ローラ２０４が離脱して離脱位置Ｐ３２に切り換え保持される。  
なお、第２離間機構２０２は中間転写ローラ２００を転写位置Ｐ３１（一次転写される位置）と離脱位置ｐ３２に適宜切り換えるが、その切換え制御は回転駆動源２５３を介して制御部５００により行なわれる。
【００７８】
図３（ａ）、（ｂ）に示すように、第３離間機構２０３は、第２転写体としての前二次転写ローラ２０４を切り換えるＬ形レバー２２９を備える。Ｌ形レバー２２９は装置本体９９側の第２基枠２４０に中央部が枢支され、一方の延出部の先端に前二次転写ローラ２０４が枢支され、他方の延出部の端部上面にカム２３６が当接する。この他方の延出部の端部下面には第２基枠２４０の係止片２４２に一端が支持された圧縮ばね２３２の他端が押圧力を加えるよう当接する。これにより、中間転写ローラ２００に対して前二次転写ローラ２０４を前二次転写位置５７ｆにおいて、二次転写させる位置である転写位置ｕ１に保持でき、あるいは離間距離Ｄ２を介して退避する離脱位置ｕ２に保持できる。  
カム２３６が回転駆動源２５４により押圧位置ｄに切り換わると、図３（ｂ）に示すように、転写位置Ｐ３１の中間転写ローラ２００に前二次転写ローラ２０４を当接して転写位置ｕ１（二次転写させる位置）に保持し、カム２３６が退避位置ｂに切り換わると、図３（ａ）に示すように、離脱位置ｐ３２の中間転写ローラ２００より更に前二次転写ローラ２０４を離脱位置ｕ２に切り換え保持できる。
【００７９】
上述のところで、第２離間機構２０２により切換えられる感光体ドラム２０Ｂと中間転写ローラ２０４の離間距離Ｄ１や、第３離間機構２０３により切換えられる中間転写ローラ２０４と前二次転写ローラ２０４の離間距離Ｄ２は、感光体ドラム２０Ｂからのトナーの飛散や、各部材間での接触を防止するのに十分な距離とすればよい。ただし、記録紙Ｐの搬送の安定を考慮すれば、図３（ａ）及び（ｂ）に示したフルカラーモードとモノクロモードでの記録材搬送経路の変動を少なくするほうがよく、これらの距離が小さいほうが良い。例えば、感光体ドラム２０Ｂの直径を４０ミリメートル、中間転写ローラ２００の直径を２０ミリメートルとして、例えば距離Ｄ１とＤ２をそれぞれ１ミリメートルから２０ミリメートル程度とすればよい。  
このように、第１乃至第３の各離間機構２０１、２０２、２０３（図３（ａ）参照）によって、懸架ローラ７２、３３、７４に張架されループ状を成して走行、回動される中間転写ベルト１１の第１〜第３状態ｍ１〜ｍ３への切換えと、搬送路Ｒの前後の二次転写位置５７ｆ、５７ｒでの二次転写が選択的に行われ、これらの画像形成制御が制御部５００によって行われる。
【００８０】
上述のところで、転写位置Ｐ３１と離脱位置ｐ３２とに切り換わる転写ローラ２００を説明した。この画像形成部１００では中間転写ベルト１１側で、フルカラーモードや画像調整用パターンモードでの色合わせや濃度調整の検知の処理を行う。このため、転写ローラ２００（第二中間転写体）はモノクロモードにおいて、潜像担持体２０Ｂ上のトナー像を転写し、記録紙に転写するだけでよく、ローラ形状でよい。これにより、ベルト形状の場合よりも部品点数は少なくなり、コストダウンとなる。
【００８１】
なお、場合により、このローラ形状の転写ローラ２００（第二中間転写体）に代えて、ベルト形状の第二中間転写体を用いてもよい。
【００８２】
次に、本発明の第１実施形態の要部を成す画像形成部１００の制御部５００による制御機能および、各部の作動について説明する。  
画像形成装置の使用時、使用者が不図示の画像形成装置上の操作パネルで指示するか、ネットワーク接続されたパーソナルコンピュータ上で画像形成モードを指示する。もしくは、出力する画像に含まれる色を不図示の判定手段が自動的に判別し、使用されるトナー色によって画像形成モードを選択する。これらの指示または指示を受けて、制御部５００は画像形成モードの切り替えをおこなう。
【００８３】
この際、図示しないパーソナルコンピュータやスキャナユニット９８から画像データが受信され、これが画像処理装置（ＩＰＳ）４００で所定の画像処理を施され、得られたデータに応じて光学ユニット８よりレーザー光がブラックの画像形成ユニット６０Ｂ（ブラック）の感光体ドラム２０Ｂに照射され、露光がなされ、ブラックのトナー像が形成される。このモノクロモードでは、複数の画像形成ユニット６０Ｙ、６０Ｃ、６０Ｍの感光体ドラム２０には光書き込みはなされず、トナー像の転写はない。
【００８４】
このモノクロモードで制御部５００は、中間転写ベルト１１及び画像形成ユニット６０Ｙ、６０Ｃ、６０Ｍを停止し、懸架ローラ７２を離間位置Ｐ１２に、懸架ローラ３３を離間位置Ｐ２２に、一次転写ローラ１２Ｂを一次転写位置Ｐｆ１より離脱した位置（図３（ｂ）参照）に切換え、中間転写ベルト１１が第二状態ｍ２（図４（ｂ）参照）に張架されるように第１離間機構２０１を切り換える。ここで、懸架ローラ７２を離間位置Ｐ１２に切り換えたことにより、上流側の二次転写位置５７ｆで転写済みの転写紙のトナー像面を下流側の二次転写位置５７ｒにおいて中間転写ベルト１１が摺接し、トナー像を汚すことを防止している。
【００８５】
更に、ブラックの画像形成ユニット６０Ｂ（ブラック）の感光体ドラム２０Ｂに対して中間転写ローラ２００を一次転写される位置Ｐ３１である転写位置に、中間転写ローラ２００に前二次転写ローラ２０４を当接して転写位置ｕ１（二次転写させる位置）にそれぞれ切り換えるように、第２、第３離間機構２０２、２０３を駆動する。なお、このモノクロモードでの切り換えパターンを図５に、中間転写ベルト１１の概略レイアウトを図１９（ａ）中に符号（ｍ２）で示した。  
このモノクロモードでは、ブラックの感光体ドラム２０Ｂより第二の一次転写位置Ｐｆ２で中間転写ローラ２００に一次転写されたトナー像が、中間転写ローラ２００に当接する転写位置ｕ１の前二次転写ローラ２０４の働きで搬送路Ｒの記録紙Ｐに二次転写される。トナー像が二次転写された記録紙Ｐは上流側の二次転写位置５７ｆより下流の二次転写位置５７ｒに達するが、ここでの中間転写ベルト１１は離脱位置Ｐ１２側に移動しており、二次転写されている４色の重層されたトナー像は汚れることなく、定着ユニット６に搬送され、定着され、排紙部３００に排出される。
【００８６】
ここで、ブラックの感光体ドラム２０Ｂは搬送路（記録材搬送経路）Ｒに最も近くなるようにレイアウトされたので、潜像担持体および記録材搬送経路周辺の部材である中間転写ローラ２００の位置を制御手段で切替える際に、中間転写ローラ２００の離間距離Ｄ１（移動量）を比較的少なくでき、装置をコンパクト化できる。  
このモノクロモードでは中間転写ベルト１１及び複数の画像形成ユニット６０Ｙ、６０Ｃ、６０Ｍは回動せず、張架面に単に対向するものとしていたが、場合により、モノクロモードで中間転写ベルト１１及び複数の画像形成ユニット６０Ｙ、６０Ｃ、６０Ｍの感光体ドラム２０を空回転してもよい。  
この場合、トナー像の転写はなく、中間転写ベルト１１の張架面に接触するのみで、ブラックのトナー像を担持する感光体ドラム２０Ｂのみが、第２の一次転写位置Ｐｆ２に対向する中間転写ローラ２００に一次転写し、更に、前二次転写ローラ２０４と共動してブラックのトナー像を記録紙Ｐに二次転写することとなる。特に、フルカラーモードとモノクロモードでトナー像が記録紙Ｐの同一側の面に転写される構成であるので、その裏の非画像部が後二次転写ローラ（第１転写体）６６と対向するので、モノクロモードの場合でも後二次転写ローラ６６を搬送路Ｒから退却させる必要がない。
【００８７】
上述のところで、モノクロモードで複数の画像形成ユニット６０Ｙ、６０Ｃ、６０Ｍは中間転写ベルト１１の張架面に接触するものとしたが、場合により、離間させてもよい。（図５の切り換えパターン参照）  
例えば、第１実施形態の変形例１として後述するように構成してもよい。即ち、図７に示すように、中間転写ベルト１１全体を可動基枠５３０に支持し、対向配備された複数の画像形成ユニット６０Ｙ、６０Ｃ、６０Ｍ、６０Ｂに対して、上下に切り換え、実線の駆動位置ｎ１と、２点差線の退避位置ｎ２とに切り換えるように構成してもよい。この構成に関しては、後述する第１実施形態の変形例１の説明で詳述する。
【００８８】
次に、画像形成モードがフルカラーモードの切り換え指令を制御部５００が受け、画像データが受信され所定の画像処理を施され、得られたデータに応じて光学ユニット８からのレーザー光が４色の各画像形成ユニット６０Ｙ、６０Ｃ、６０Ｍ、６０Ｂの感光体ドラム２０Ｂの露光を成し、４色のトナー像が形成される。なお、フルカラーモードの場合、すべての４色の各画像形成ユニット６０Ｙ、６０Ｃ、６０Ｍ、６０Ｂの感光体ドラム２０Ｂと中間転写ベルト１１の張架面とが略同一平面上で接触するので、画像形成部１００の構造を容易化でき、印刷速度アップを図ることができる。  
ここで制御部５００は第１離間機構２０１の切り換えにより、懸架ローラ７２が下流の二次転写位置５７ｒに対向する駆動位置Ｐ１１に、懸架ローラ３３が駆動位置Ｐ２１に、一次転写ローラ１２が一次転写位置Ｐｆ１に保持された状態に切り換えられ、この際、中間転写ベルト１１が第１状態ｍ１（図４（ａ）、図３（ａ）参照）に切り換え保持される。なお、このフルカラーモードでの切り換えパターンを図５に、中間転写ベルト１１の概略レイアウトを図１９（ａ）中に符号（ｍ１）で示した。
【００８９】
更に、後二次転写ローラ（第１転写体）６６と懸架ローラ７２間の二次転写位置５７ｒでの二次転写を行うことより、その上流側の二次転写位置５７ｆにおける中間転写ローラ２００を離脱位置ｐ３２に、前二次転写ローラ２０４を離脱位置ｕ２に保持するように、第２、第３離間機構２０２、２０３をそれぞれ切り換え（図５参照）、これにより、記録紙Ｐが上流の二次転写位置５７ｆをそのまま（処理無く）速やかに通過するようにする。  なお、ここで、二次転写位置５７ｒの後二次転写ローラ６６と、その上流側の二次転写位置５７ｆの前二次転写ローラ２０４は共にローラである。これにより、第二二次転写体を簡素化でき、ベルト形状の場合よりも部品点数が少なくなり、コストダウンとなるし、また、簡単な構成にできる。  
このフルカラーモードでは搬送路Ｒの上流側の二次転写位置５７ｆをそのまま通過した記録紙Ｐが下流の二次転写位置５７ｒで中間転写ベルト１１に一次転写されている４色の重層されたトナー像を二次転写され、定着ユニット６に搬送され定着され、排紙部３００に排出される。
【００９０】
次に、画像形成モードが画像調整用パターンモードの切り換え指令を制御部５００が受けると、制御部５００は光学ユニット８よりのレーザー光で、予め設定されている位置合わせ用のラインパターンまたは濃度調整用のラインまたはドットによる濃度階調パターンの画像信号にしたがって潜像を各画像形成ユニット６０Ｙ、６０Ｃ、６０Ｍ、６０Ｂの感光体ドラム２０Ｂ上の非画像領域にそれぞれ書き込み形成し、中間転写ベルト１１に一次転写する。
【００９１】
この際、制御部５００は第１離間機構２０１の切り換えにより、図２に示すように、懸架ローラ７２を２点差線で示す離間位置Ｐ１２に、懸架ローラ３３を駆動位置ｐ２１に、一次転写ローラ１２を一次転写位置Ｐｆ１のままに保持し、それぞれ切り換えた状態で中間転写ベルト１１が張架され、第三懸架状態ｍ３（図４（ｃ）参照）に保持する。更に、ブラックの画像形成ユニット６０Ｂ（ブラック）の感光体ドラム２０Ｂに対して中間転写ローラ２００を離脱位置Ｐ３２に（図３（ａ）参照）、前二次転写ローラ２０４を離脱位置ｕ２にそれぞれ切り換えるよう第２、第３離間機構２０２、２０３を駆動する（図５参照）。なお、この画像調整用パターンモードでの中間転写ベルト１１の概略レイアウトを図１９（ａ）中に符号（ｍ３）で示した。
【００９２】
画像調整用パターンモードでは、記録紙Ｐの供給は停止されており、中間転写ベルト１１上には４色の画像調整用パターン又は濃度調整用のラインまたはドットによる濃度階調パターンの画像信号に従って潜像が形成され、各現像装置により各色のトナー像が形成される。更に、一次転写により中間転写ベルト１１に各トナー像が形成される。更に、一次転写手段により、各色のトナー像の一次転写を受けた上で、下流の二次転写位置５７ｒを通過し、懸架ローラ７４（駆動ローラ）に接近する。
【００９３】
ここで、懸架ローラ７４（駆動ローラ）には、図１、図２、図４（ｃ）に示すように、画像検知手段２１０が対向配備される。ここで、４色の画像調整用パターンを懸架ローラ７４と対向する位置に設けられている画像検知手段（光学的検知センサ）２１０により読み取ることで、ＢＭＣＹの各色の位置ズレ情報や濃度や階調情報が得られる。光学的検知センサ２１０は懸架ローラ（従動ローラ）７４と対向する位置に設けられている。光学的検知センサ２１０が読み取った位置情報は、各色の光書き込みの副走査方向開始タイミングを調整するために用い、色ズレを目立たなくし、濃度情報は、プロセスコントロールに用い、画像濃度／色味の適正化が行われることになる。  
読み取られた後のトナーパターンは、中間転写ベルト１１に載って搬送され、中間転写クリーニング装置１３により回収され、不図示の廃トナー搬送経路によって廃トナーボトルに収容される。なお、図１、図２、図４（ｃ）では、画像検知手段（光学的検知センサ）２１０が懸架ローラ７４（駆動ローラ）上の位置で検知するようにしているが、中間転写ベルト１１上のブラックの一次転写後からクリーニング手段１３までの間であればどこで検知してもよく、テンションローラ３３上や中間転写ベルト１１上で検知してもよい。
【００９４】
上述のように、画像調整用パターンモードでは、４色の画像調整用パターンのトナー像全てを中間転写ベルト１１（第一中間転写体）上に一次転写して、ＹＣＭ、Ｂの各色の位置ズレ情報や濃度情報が得られ、フルカラーモードで用いる画像調整や位置合わせを第一中間転写体上で行うことが可能となる。このため、ブラック直接転写と、ブラック以外はタンデム構成を採る従来装置のように、色合わせの検知を二次転写体上で行う必要がなく、より精度のよい位置ズレや濃度制御を行える。しかも、従来装置では、ブラックとカラーを同一二次転写体上に転写する必要があり、二次転写体が大きくなってしまう。また二次転写体の表面材料も平滑なものにする必要が生じてしまう。
【００９５】
このように、第１実施形態の画像形成装置では、トナー像を中間転写ベルト１１（第一中間転写体）へ一次転写した場合はフルカラーモードや画像調整用パターンモードを容易に達成でき、更に、複数の潜像担持体のうちの一つの潜像担持体であるブラックの感光体２０Ｂ上に顕像化されたトナー像を中間転写ベルト１１とは別の転写位置Ｐｆ２から中間転写ローラ（第二中間転写体）２００へ一次転写した場合はモノクロモードを容易に達成できる。ここではブラックＢの作像ユニット６０Ｂは一つでよいため、コストダウンとなる。  
更に、フルカラーモードでは中間転写ベルト１１を第１離間機構２０１により第１状態ｍ１に切り換え、通常の４連タンデムの場合と同様に良好なフルカラー画像が得られる。
【００９６】
モノクロモードでは中間転写ローラ（第二中間転写体）２００を第２離間機構２０２により二次転写される位置Ｐ３１に前二次転写ローラ２０４（第２転写体）を第３離間機構２０３により二次転写させる位置ｕ１に切り換えることで、モノクロモードのトナー像を記録紙Ｐに二次転写し、良好なモノクロ画像が得られる。
【００９７】
特に、モノクロモードではブラック以外の複数の感光体６０Ｙ、６０Ｃ、６０Ｍやそのトナー現像装置や中間転写ベルト１１を止めておくことができ、通常の４連タンデムの場合と比べて各部品の経時劣化が起こりにくくなる。
【００９８】
ブラックを含む複数の感光体６０Ｂ、６０Ｙ、６０Ｃ、６０Ｍ上に形成した画像調整用のトナー付着パターン（画像調整用パターン）をすべて中間転写ベルト１１上に転写し、これを中間転写ベルト１１の走行方向における下流側の画像検知手段２１０により検知し、画像濃度や階調を修正する制御を容易に行える。  
更に、上述のところで、ブラックの画像形成ユニット６０Ｂ（ブラック）の感光体ドラム２０Ｂは、モノクロモード、フルカラーモード、画像調整用パターンモードのいずれのモードでも移動しない。このため、露光位置が同じでよく、露光装置（光学ユニット）８を簡素化できる。
【００９９】
特に、中間転写ベルト１１（第一中間転写体）が無端ベルト形状であり、中間転写ローラ（第二中間転写体）２００がローラ形状であるので、画像形成部の切換え構成を簡素化できる。  
前二次転写ローラ２０４（第２転写体）および後二次転写ローラ６６（第１転写体）がローラ形状であるので、ベルト形状の場合よりも部品点数が少なくなり、コストダウンとなるし、また、簡単な構成にできる。  
また、前二次転写ローラ２０４（第２転写体）によるモノカラーの転写位置トナー像の記録紙Ｐへの転写位置５７ｆが記録材搬送方向上流側にあるので、ブラックの転写が先となり、転写紙Ｐを通じてブラック感光体にカラー色が付着（逆転写）する不具合が無い。
【０１００】
以上、本発明の第１実施形態について説明したが、本発明は一実施形態の具体的構成に限らず、特許請求の範囲で記載した範囲内で様々な構成とすることができる。  
たとえば第１実施形態の第１変形例として、第１から第３離間機構２０１、２０２、２０３を実現するために図２や図４（ａ）に示したカム２２２、２２４、２３１、２３６のかわりに、それらと対応する位置に図６に示すようなソレノイドＳＬ１〜ＳＬ４を用いてもよい。  
更に、第２の変形例として、図２に示した第１離間機構２０１の屈曲レバー２２０、２２３は側面視Ｌ字形状であったが、これに代えて、図６に示すように、支持ブラケット２３０側に固定されたガイドレール２２１、２２２に摺接可能に支持される平板形状レバー２２０’、２２３’としてもよい。
【０１０１】
更に、第１実施形態の第２の変形例として、図７に示すように、中間転写ベルト１１全体を可動基枠５３０に支持し、同可動基枠５３０を装置本体９９側の複数のガイドレール５１０に沿って上下動可能に支持し、この可動基枠５３０を複数の枢支ピン５４０を介して、ソレノイドＳＬ０の可動片に連結し、この複数のソレノイドＳＬ０を用いて上下に中間転写ベルト１１全体を切り換え移動して支持するようにしてもよい。  
この場合、実線の基準位置ｎ１と、２点差線の退避位置ｎ２とに切り換えるように構成する。  
画像形成モードがモノクロモードの場合に中間転写ベルト１１全体を退避位置ｎ２に保持し、これにより、中間転写ベルト１１を第二状態ｍ２に対応する位置に保持し、フルカラーモードでは基準位置ｎ１（第一状態ｍ１に対応する）に保持する。画像調整用パターンでは基準位置ｎ１に保持された上で第１離間機構２０１の屈曲レバー２２０のみが揺動して後二次転写ローラ６６より懸架ローラ７２を離隔し、第三状態ｍ３に相当する位置に保持し、二次転写位置５７ｒでの転写を回避し、光学的検知センサ２１０による、ＹＣＭＢの各色の位置ズレ情報や濃度や階調情報を得ることを可能とする。
【０１０２】
この場合、モノクロモードでは複数の画像形成ユニット６０Ｙ、６０Ｃ、６０Ｍ、６０Ｂより中間転写ベルト１１の張架面が離脱し、フルカラーモードで中間転写ベルト１１の張架面が複数の画像形成ユニット６０Ｙ、６０Ｃ、６０Ｍ、６０Ｂに接触し、一次転写を可能とするように支持ブラケット５３０側が切換え制御される。しかし、場合により、モードの切り換えパターンが変化する場合に応じて、切換えパターンを変えるようにしてもよい。
【０１０３】
例えば、モノクロモードの後、すぐにフルカラーモードで印刷する場合であると、すぐに複数の画像形成ユニット６０Ｙ、６０Ｃ、６０Ｍを使って一次転写を開始できるように、中間転写ローラ２００に転写作動中のブラックＢの感光体ドラム２０Ｂより屈曲レバー２２３（図２参照）の駆動により中間転写ベルト１１を離した状態で、その他の複数の画像形成ユニット６０Ｙ、６０Ｃ、６０Ｍを接触したまま（駆動位置ｎ１）に保持するようにしても良い。  
一方、モノクロモードでの動作後にフルカラーモード印刷や画像調整用パターンモードでの駆動を行う必要が無い場合であると、感光体ドラム２０の接触による中間転写ベルト１１への負荷をなくすために、複数の画像形成ユニットより離間状態を保持するよう退避位置ｎ２に保持することとなる。
【０１０４】
更に、第１実施形態の第４変形例として、図８に示すように、各画像形成ユニット６０Ｙ、６０Ｃ、６０Ｍを転写ベルト１１よりも左側に鉛直方向に配置してもよい。  
第４変形例の画像形成部１００ｆは第１実施形態での画像形成部１００と対比して重複する構成を多く含み、ここでは重複部材の説明を略し、重複部材及びそれに関連する部材には同一記号に添え字ｆを付記した。更に、この画像形成部１００ｆ以外のカラーデジタル複合機１の構成部分は同様に構成され、重複説明を略す。
【０１０５】
これら第１変形例〜第４変形例の場合も、モノクロモード、フルカラーモードあるいは画像調整用パターンモード等の複数画像形成モードの作動を容易に達成できる。更に、フルカラーモードの場合は中間転写ベルト１１より記録材Ｐに二次転写してフルカラー画像を作成し、モノクロモードの場合は中間転写ローラ２００より記録紙Ｐに二次転写してモノクロ画像を作成し、このモノクロ画像を作成の際に中間転写ベルト１１を止めることで複数色の各画像形成ユニット６０Ｙ、６０Ｃ、６０Ｍ（作像ユニット）の耐久性向上を図ることもでき、しかも、ブラック作像ユニット６０Ｂは１つだけでよいため、コストアップを防ぐことができる。
【０１０６】
次に、第１実施形態でのカラーデジタル複合機１に採用できる画像形成部１００に代えて第２実施形態としてのカラーデジタル複合機１に採用できる画像形成部１００ａを説明する。  
この第２実施形態の画像形成部１００ａを図９、図１０（ａ）、（ｂ）に示した。なお、第２実施形態の画像形成部１００ａは第１実施形態での画像形成部１００と対比して重複する構成を多く含み、ここでは重複部材の説明を略し、重複部材及びそれに関連する部材には同一記号に添え字ａを付記して重複説明の簡略化を図った。更に、この画像形成部１００ａ以外のカラーデジタル複合機１の構成部分は同様に構成され、重複説明を略す。
【０１０７】
第２実施形態の画像形成部１００ａは、装置本体９９（図１参照）の中央部に第一中間転写体である中間転写ベルト１１ａがループ状を成して回動可能に支持され、その上側には中間転写ベルト１１ａのベルト移動方向Ａ１に沿って直列に４色分の画像形成ユニット６０が配置され、  
ここでは画像形成ユニット６０Ｂ（ブラック）の順序が他の画像形成ユニット６０Ｙ（イエロー）、６０Ｃ（シアン）、６０Ｍ（マゼンダ）に対し、最上流に位置し、第１実施形態とは逆位置となっており、この点で第１実施形態と異なる。中間転写ベルト１１ａの回転方向Ａ１や搬送路Ｒの流路方向は第１実施形態と同一である。
【０１０８】
更に、中間転写ベルト１１は搬送路Ｒの流路方向において前後２箇所に転写位置５７ｆ、５７ｒが設定される。前二次転写位置５７ｆでは第１転写体である二次転写ローラ６６ａと対向し、後二次転写位置５７ｒでは第２転写体である二次転写ローラ２０４ａと対向している。即ち、ここでの二次転写ローラ（第２転写体）６６ａと後二次転写ローラ（第１転写体）２０４ａの位置は第１実施形態の場合とは逆位置となっており、搬送路Ｒの流路方向において上流側に画像形成モードがフルカラーモードにあるとそのフルカラーのトナー像の二次転写をする前二次転写位置５７ｆが配備され、搬送路Ｒの流路方向において下流側に画像形成モードがモノクロモードにあるとブラックのトナー像の二次転写をする後二次転写位置５７ｒが配備されている。
【０１０９】
更に、ここでの中間転写ベルト１１ａは、その張架位置が第１離間機構２０１ａ、第２離間機構２０２ａ、第３離間機構２０３ａにより上下逆転した状態で同様に切換えられることで、上下逆転した状態で中間転写ベルト１１が第一状態ｍ１、第二状態ｍ２、第三状態（第三懸架状態）ｍ３に切換えられる。  
ここでは、図９に示すように、画像形成モードがフルカラーモードにあると、懸架ローラ７２が駆動位置Ｐ１１に保持されて中間転写ベルト１１ａが前二次転写ローラ６６ａ（第２転写体）に当接し、懸架ローラ３３及び一次転写ローラ１２Ｂが駆動位置（実線位置）Ｐ２１に共に切り換わることで第一状態（第一懸架状態）ｍ１が保持される。同時に中間転写ローラ（第二中間転写体）２００ａは、ブラック２０Ｂの感光体より離脱位置Ｐ３２に、後二次転写ローラ２０４ａ（第１転写体）は記録紙Ｐに一次転写させる位置ｓ１から離脱した位置ｓ２に切り換わる。
【０１１０】
更に、図１０（ａ）に示すように、画像形成モードがモノクロモードにあると懸架ローラ７２が離間位置Ｐ１２に達して前二次転写ローラ６６ａから離脱し、懸架ローラ３３及び一次転写ローラ１２Ｂを共に離間位置Ｐ２２に切り換わることで第二状態（第二状態）ｍ２が保持される。同時に中間転写ローラ（第二中間転写体）２００ａはブラック２０Ｂの感光体に接する駆動位置Ｐ３１に、後二次転写ローラ（第２転写体）２０４ａは記録紙Ｐに一次転写させる位置ｓ１に切り換わる。
【０１１１】
更に、図１０（ｂ）に示すように、画像形成モードが画像調整用パターンモードにあると懸架ローラ７２が離間位置Ｐ１２に達して前二次転写ローラ６６ａから離脱し、懸架ローラ３３及び一次転写ローラ１２Ｂを共に駆動位置Ｐ２１を保持することで第三状態（第三懸架状態）ｍ３（図１０（ｂ）参照）が保持される。同時に中間転写ローラ（第二中間転写体）２００ａは、ブラック２０Ｂの感光体より離脱位置Ｐ３２に、後二次転写ローラ２０４ａ（第１転写体）は離脱位置ｓ２に切り換わる。  
なお、第１乃至第３の各離間機構２０１、２０２、２０３を用いて中間転写ベルト１１を第１〜第３状態ｍ１〜ｍ３へ切換える制御と、搬送路Ｒの前後の二次転写位置５７ｆ、５７ｒで選択的に行う二次転写の制御とは制御部５００によって行われる。このような第２実施形態は第１実施形態とほぼ同様の作用効果が得られる。
【０１１２】
次に、第１実施形態でのカラーデジタル複合機１に採用できる画像形成部１００に代えて第３実施形態としてのカラーデジタル複合機１に採用できる画像形成部１００ｂを説明する。  
この第３実施形態の画像形成部１００ｂを図１１（ａ）、（ｂ）、図１２に示した。なお、第３実施形態の画像形成部１００ｂは第１実施形態での画像形成部１００と対比して重複する構成を多く含み、ここでは重複部材の説明を略し、重複部材及びそれに関連する部材には同一記号に添え字ｂを付記して重複説明の簡略化を図った。更に、この画像形成部１００ｂ以外のカラーデジタル複合機１の構成部分は同様に構成され、重複説明を略す。
【０１１３】
第３実施形態の画像形成部１００ｂは、装置本体９９（図１参照）の中央部に第一中間転写体である中間転写ベルト１１ｂがループ状を成して回動可能に支持され、その下側には中間転写ベルト１１ｂのベルト移動方向Ａ１に沿って直列に４色分の画像形成ユニット６０Ｙ、６０Ｃ、６０Ｍ、６０Ｂの画像形成ユニット６０が配置される。更に、ここでの中間転写ベルト１１ｂの張架位置が第１離間機構２０１により第一状態ｍ１（図１１（ａ）に示す）、第二状態ｍ２（図１１（ｂ）に示す）、第三状態（第三懸架状態）ｍ３（図１２に示す）に切換えられる点、及び、中間転写ベルト１１ｂの回転方向Ａ１や搬送路Ｒの流路方向において前後２箇所に前後転写位置５７ｆｂ、５７ｒｂが設定された点で第１実施形態と同一である。更に、第１〜第３の各離間機構２０１ｂ〜２０３ｂは、第１実施形態を形成する機構と同様の構成が採用されて形成されるが、ここでは重複説明を略す。
【０１１４】
ここでは、特に、一つの潜像担持体であるブラックの感光体２０Ｂと中間転写ベルト１１ｂの一次転写位置Ｐｆ１（他の感光体と共通記載する場合は図１９（ｂ）に示すように符号ａで示す）との間に中間転写ローラ（第二中間転写体）２００ｂが配備される。
【０１１５】
この中間転写ローラ（第二中間転写体）２００ｂは、ブラック２０Ｂの感光体より一次転写に先立ち仮一次転写されたトナー像を第１状態ｍ１の中間転写ベルト（第一中間転写体）１１ｂに一次転写位置Ｐｆ１で一次転写する一次転写送り状態（図１９（ｂ）の符号ｅ１に保持される状態）と該一次転写送り状態から離脱した状態（図１９（ｂ）の符号ｅ２に保持される状態）とに第２離間機構２０２ｂにより切り換えられる。
【０１１６】
更に、ブラック２０Ｂの感光体には、中間転写ローラ（第二中間転写体）２００ｂの位置とは別の位置に前二次転写ローラ（第２転写体）２０４ｂが対向配備される。ここで、前転写ローラ（第２転写体）２０４ｂは記録紙Ｐに一次転写させる位置ｓ１と同位置から離脱した位置ｓ２とに第３離間機構２０３ｂにより切り換えられる。  
更に、搬送路Ｒの流路方向下流側となる後転写位置５７ｒｂには第１転写体である後転写ローラ６６ｂが中間転写ベルト１１ｂを介して懸架ローラ７２と対向するよう配備される。
【０１１７】
ここで、画像形成モードがフルカラーモードにあると、中間転写ベルト１１は第一状態ｍ１に切換えられる。図１１（ａ）に示すように、懸架ローラ７２が中間転写ベルト１１を後転写ローラ６６ｂに当接する駆動位置Ｐ１１に達し、二次転写可能に保持する。更に、懸架ローラ３３及び一次転写ローラ１２Ｂを駆動位置（実線位置）Ｐ２１に共に切り換わることで第一状態ｍ１に保持される。
【０１１８】
同時に、中間転写ローラ２００ｂが、一つの潜像担持体であるブラックの感光体２０Ｂ上より一次転写に先立ち仮一次転写されたトナー像を第１状態ｍ１の中間転写ベルト１１に一次転写位置Ｐｆ１で一次転写する一次転写送り状態（図１１（ａ）の状態）に保持される。更に、前転写位置５７ｆｂの前転写ローラ２０４ｂが離脱位置ｓ２に切り換え保持される。これにより、画像形成モードがフルカラーモードにあるとそのフルカラーのトナー像を後転写位置５７ｒｂにおいて記録紙Ｐに二次転写できる。
【０１１９】
画像形成モードがモノクロモードにあると、中間転写ベルト１１は第二状態（第二状態）ｍ２に保持される。図１１（ｂ）に示すように、懸架ローラ７２が中間転写ベルト１１を後転写ローラ６６ｂから離間する離間位置Ｐ１２に切り換わり、懸架ローラ３３及び一次転写ローラ１２Ｂが離間位置Ｐ２２に共に切り換わることで第二状態（第二状態）ｍ２に保持される。  
更に、中間転写ローラ２００ｂが、一次転写位置Ｐｆ１で一次転写する一次転写送り状態（図１１（ａ）の状態）より離脱する離脱した状態（図１１（ｂ）の状態）に保持される。同時に、前転写位置５７ｆｂの前転写ローラ２０４ｂが駆動位置ｓ２に保持される。これにより、画像形成モードがモノクロモードにあるとブラックのトナー像を前転写位置５７ｆｂにおいて記録紙Ｐに一次転写（直接転写）できる。
【０１２０】
画像形成モードが画像調整用パターンモードにあると、中間転写ベルト１１は第三状態ｍ３に保持される。ここでは、図１２に示すように、中間転写ローラ２００ｂが、ブラックの感光体２０Ｂ上より一次転写に先立ち仮一次転写されたトナー像を第３状態ｍ３の中間転写ベルト１１に一次転写位置Ｐｆ１で一次転写する一次転写送り状態（図１２の状態）に保持される。更に、懸架ローラ７２が中間転写ベルト１１を後転写ローラ６６ｂから離間する離間位置Ｐ１２に切り換わり、懸架ローラ３３及び一次転写ローラ１２Ｂが駆動位置Ｐ２１に共に切り換わることで複数の潜像担持体に一次転写位置で当接した上（したままで）で後転写ローラ６６ｂから離間するという第三状態ｍ３に保持される。同時に、前転写位置５７ｆｂの前転写ローラ２０４ｂが離脱位置ｓ２に切り換え保持される。
【０１２１】
このような第１乃至第３の各離間機構２０１ｂ、２０２ｂ、２０３ｂを用いて中間転写ベルト１１ｂを第１〜第３状態ｍ１〜ｍ３へ切換える制御と、搬送路Ｒの前後の二次転写位置５７ｆｂ、５７ｒｂで選択的に行う転写制御とは制御部５００（図１参照）によって行われる。  
このような第３実施形態は第１実施形態とほぼ同様の作用効果が得られる。特に、複数の潜像担持体のうちの一つの潜像担持体であるブラックの感光体２０Ｂ上に顕像化されたトナー像を記録紙Ｐに直接転写することで、モノクロモードのトナー像を記録紙Ｐに直接一次転写し、良好なモノクロ画像が得られるし、複数色の画像形成ユニット６０Ｙ、６０Ｃ、６０Ｍの耐久性向上、コストアップを防ぐことができる。更に、モノクロモードでは、中間転写ベルト１１ｂを第１離間機構により第２状態ｍ２に切り換え、中間転写ローラ２００ｂが第２離間機構により一次転写送り状態より離脱する位置ｅ２に、前二次転写ローラ２０４ｂを第３離間機構により一次転写させる位置に切り換える切換え操作を確実に行える。しかも、通常の４連タンデムの場合と比べて各部品の経時劣化が起こりにくくなる。
【０１２２】
更に、画像調整用パターンモードでは中間転写ベルト１１ｂを第３状態ｍ３に切り換えて中間転写ローラ２００ｂを一次転写送り状態に切り換え、前二次転写ローラ２０４ｂを一次転写させる位置より離脱する位置ｓ２に切り換えることで、ブラックを含む複数の像担持体上に形成した画像調整用のトナー付着パターン（画像調整用パターン）をすべて中間転写体上に転写することができ、これを中間転写体の走行方向Ａ１における下流側の画像検知手段２１０により検知し、画像濃度や階調を修正する制御を容易に行える。
【０１２３】
次に、第１実施形態でのカラーデジタル複合機１に採用できる画像形成部１００に代えて第４実施形態としてのカラーデジタル複合機１に採用できる画像形成部１００ｃを説明する。  
この第４実施形態の画像形成部１００ｃを図１３（ａ）、（ｂ）、図１４に示した。
【０１２４】
なお、第４実施形態の画像形成部１００ｃは第１実施形態での画像形成部１００と対比して重複する構成を多く含み、ここでは重複部材の説明を略し、重複部材及びそれに関連する部材には同一記号に添え字ｃを付記して重複説明の簡略化を図った。更に、この画像形成部１００ｃ以外のカラーデジタル複合機１の構成部分は同様に構成され、重複説明を略す。
【０１２５】
第４実施形態の画像形成部１００ｃは、装置本体９９（図１参照）の中央部に中間転写ベルト１１ｃがループ状を成して回動可能に支持され、その下側には中間転写ベルト１１ｃのベルト移動方向Ａ１に沿って直列に３色分の画像形成ユニット６０Ｙ、６０Ｃ、６０Ｍの画像形成ユニット６０が配置され、それら３つの画像形成ユニット６０の下流側で中間転写ベルト１１ｃの上側に、ブラックＢの画像形成ユニット６０Ｂが配備される。これに応じて、それら３つの画像形成ユニット６０の下流側で中間転写ベルト１１ｃの下側に懸架ローラ７２が、その上で中間転写ベルト１１ｃの下流側に懸架ローラ３３が配備され、この点で第１、第３実施形態と相違する。
【０１２６】
特に、ここでの画像形成ユニット６０Ｂの感光体２０Ｂは中間転写ローラ（第二中間転写体）２００ｃを介して中間転写ベルト１１ｃの上側部分で一次転写ローラ１２Ｂと対向する位置に配備され、そこがブラックＢの第１転写位置Ｐｆ１を設定しており、第１、第３実施形態と相違する。  
図１３（ａ）に示すように、中間転写ローラ２００ｃは、ブラックの感光体２０Ｂより一次転写に先立ち仮一次転写されたトナー像を第１状態ｍ１の中間転写ベルト１１ｃに一次転写位置Ｐｆ１で一次転写する一次転写送り状態（図１３（ａ）の符号ｅ１に保持される状態）と該一次転写送り状態から離脱した状態（図１３（ｂ）の符号ｅ２に保持される状態）とに第２離間機構２０２ｃにより切り換えられる。
【０１２７】
更に、ブラックの感光体２０Ｂには、中間転写ローラ（第二中間転写体）２００ｃの位置とは別の位置に二次転写ローラ（第２転写体）２０４ｃが対向配備される。ここで、二次転写ローラ（第２転写体）２０４ｃは記録紙Ｐに二次転写させる位置ｓ１と同位置から離脱した位置ｓ２とに第３離間機構２０３ｃにより切り換えられる。  
なお、第４実施形態の画像形成部１００ｃは、中間転写ベルト１１ｃの張架位置が第１離間機構２０１ｃにより第一状態ｍ１（図１３（ａ）に示す）、第二状態ｍ２（図１３（ｂ）に示す）、第三状態ｍ３（図１４に示す）に切換えられる点、及び、中間転写ベルト１１ｃの回転方向Ａ１や搬送路Ｒの流路方向において前後２箇所に前後転写位置５７ｆｃ、５７ｒｃが設定される点で、第１実施形態と同様である。
【０１２８】
ここで、画像形成モードがフルカラーモードにあると、図１３（ａ）に示すように、懸架ローラ７２が駆動位置Ｐ１１に、懸架ローラ３３及び一次転写ローラ１２Ｂが駆動位置（実線位置）Ｐ２１に共に切り換わることで第一状態（第一懸架状態）ｍ１に保持され、懸架ローラ７２が中間転写ベルト１１を前転写ローラ６６ｃに当接する駆動位置Ｐ１１に達し、二次転写可能に保持する。  
同時に、中間転写ローラ２００ｃが、ブラックの感光体２０Ｂ上より一次転写に先立ち仮一次転写されたトナー像を第１状態ｍ１の中間転写ベルト１１に一次転写位置Ｐｆ１で一次転写する一次転写送り状態（図１３（ａ）の状態）に保持される。更に、後転写位置５７ｒｃの後転写ローラ２０４ｃが離脱位置ｓ２に切り換え保持される。これにより、画像形成モードがフルカラーモードにあるとそのフルカラーのトナー像を前転写位置５７ｆｂにおいて記録紙Ｐに二次転写できる。
【０１２９】
画像形成モードがモノクロモードにあると、中間転写ベルト１１は第二状態（第二状態）ｍ２に保持される。図１３（ｂ）に示すように、懸架ローラ７２が中間転写ベルト１１を前転写ローラ６６ｃから離間する離間位置Ｐ１２に切り換わり、懸架ローラ３３及び一次転写ローラ１２Ｂが離間位置Ｐ２２に共に切り換わることで第二状態（第二状態）ｍ２に保持される。  
同時に、中間転写ローラ２００ｂが、一次転写位置Ｐｆ１より離脱する離脱した状態（図１３（ｂ）の状態）に保持される。更に、後転写位置５７ｒｂの後転写ローラ２０４ｃが駆動位置ｓ２に切換えられる。これにより、モノクロモードにあるとブラックのトナー像を後転写位置５７ｒｂにおいて記録紙Ｐに一次転写（直接転写）できる。
【０１３０】
画像形成モードが画像調整用パターンモードにあると、中間転写ベルト１１ｃは第三状態ｍ３に保持される。ここでは、図１４に示すように、中間転写ローラ２００ｃが、ブラックの感光体２０Ｂ上より一次転写に先立ち仮一次転写されたトナー像を第３状態ｍ３の中間転写ベルト１１に一次転写位置Ｐｆ１で一次転写する一次転写送り状態（図１４の状態）に保持される。同時に、後転写位置５７ｒｃの後転写ローラ２０４ｃが離脱位置ｓ２に切り換え保持される。  
更に、懸架ローラ７２が中間転写ベルト１１ｃを前転写ローラ６６ｃから離間する離間位置Ｐ１２に切り換わり、懸架ローラ３３及び一次転写ローラ１２Ｂが駆動位置Ｐ２１に共に切り換わることで複数の潜像担持体に一次転写位置ａで当接した上（したままで）で前後転写ローラ６６ｃ、２０４ｃから離間するという第三状態ｍ３に保持される。
【０１３１】
画像調整用パターンモードでは、記録紙Ｐの供給は停止されており、中間転写ベルト１１上には４色の画像調整用パターン又は濃度調整用のラインまたはドットによる濃度階調パターンの画像信号に従って潜像が形成され、各現像装置により各色のトナー像が形成される。更に、一次転写により中間転写ベルト１１ｃに各トナー像が形成され、各色のトナー像は下流の二次転写位置５７ｒを通過し、懸架ローラ７２の近傍の画像検知手段２１０に接近する。この画像検知手段２１０は検知した各色のトナー像に応じて、画像濃度や階調を修正する制御を容易に行える。
【０１３２】
このような第１乃至第３の各離間機構２０１ｃ、２０２ｃ、２０３ｃを用いて中間転写ベルト１１ｃを第１〜第３状態ｍ１〜ｍ３へ切換える制御と、搬送路Ｒの前後の二次転写位置５７ｆｃ、５７ｒｃで選択的に行う転写制御とは制御部５００（図１参照）によって行われる。  
このような第４実施形態は第１、３実施形態とほぼ同様の作用効果が得られる。特に、フルカラーモードでは搬送路Ｒの流路方向において上流側の前転写位置５７ｆｃでフルカラーのトナー像を記録紙Ｐに転写し、モノクロモードでは下流側の後転写位置５７ｒｃでブラックのトナー像を記録紙Ｐに転写でき、この点で第３実施形態とは上下逆配置の構成を可能としている。
【０１３３】
次に、第１実施形態でのカラーデジタル複合機１に採用できる画像形成部１００に代えて第５実施形態としてのカラーデジタル複合機１に採用できる画像形成部１００ｄを説明する。  
この第５実施形態の画像形成部１００ｄを図１５（ａ）、（ｂ）、図１６に示した。
【０１３４】
なお、第５実施形態の画像形成部１００ｄは第１実施形態での画像形成部１００と対比して重複する構成を多く含み、ここでは重複部材の説明を略し、重複部材及びそれに関連する部材には同一記号に添え字ｄを付記して重複説明の簡略化を図った。更に、この画像形成部１００ｄ以外のカラーデジタル複合機１の構成部分は同様に構成され、重複説明を略す。
【０１３５】
第５実施形態の画像形成部１００ｄは、装置本体９９（図１参照）の中央部に中間転写ベルト１１ｄがループ状を成して回動可能に支持される。この中間転写ベルト１１ｄは時計方向に回転移動し、その下部にベルト移動方向Ａ２に沿って直列に４色分の画像形成ユニット６０Ｂ、６０Ｙ、６０Ｃ、６０Ｍ、の画像形成ユニット６０が配置される。ここでの画像形成ユニット６０内の感光体２０の回転方向は反時計方向であり、現像装置とクリーニング装置及び帯電装置の位置が第１実施形態の場合と左右反転した配置構成となる。それら４つの画像形成ユニット６０の下流側で中間転写ベルト１１ｃの上側に、中間転写ローラ（第二中間転写体）２００ｄが配備され、この点で第１実施形態と相違する。
【０１３６】
なお、ここでの中間転写ベルト１１ｄの張架位置が第１離間機構２０１ｄにより第一状態ｍ１（図１５（ａ）及び図１６に示す）、第二状態ｍ２（図１５（ｂ）に示す）に切り換えられ、第三状態ｍ３は排除され、この点で第１実施形態と異なる。更に、搬送路Ｒの流路方向において前後２箇所に前後転写位置５７ｆｄ、５７ｒｄが設定される点では第１実施形態と同様である。  
更に、第５実施形態の画像形成部１００ｄは、中間転写ベルト１１ｄの４つの画像形成ユニット６０の上流側に懸架ローラ３３が配備され、更にその上流上側に懸架ローラ７２が配備される。この懸架ローラ７２と中間転写ローラ（第二中間転写体）２００ｄとは中間転写ベルト１１ｄを挟んで当接する。
【０１３７】
図１５（ａ）に実線で示すように、中間転写ローラ（第二中間転写体）２００ｄは第１状態ｍ１の中間転写ベルト１１ｄより二次転写に先立ち仮二次転写位置ｐｄで仮二次次転写されたフルカラーのトナー像を仮二次転写位置ｐｄとは別の位置となる二次転写位置５７ｒｄに移送する。更に、中間転写ローラ２００ｄはこの二次転写位置５７ｒｄで後転写ローラ（第１転写体）６６ｄと接離可能に対向する。
【０１３８】
この際、中間転写ローラ２００ｄは、仮二次次転写されたフルカラーのトナー像を二次転写位置５７ｒｄに移送して搬送路Ｒの記録材Ｐに後転写ローラ（第１転写体）６６ｄを用いて二次転写する二次送り転写状態（図１５（ａ）の符号ｅ１、図１９（ｃ）の符号ｅ１で示す状態）に切り換え保持される。このような中間転写ローラ２００ｄは仮二次転写位置ｐｄでトナー像を仮二次転写された状態を保持した上で二次送り転写状態から離脱した状態（図１５（ｂ）の符号ｅ２参照）に第２離間機構２０２ｄにより切り換えられる。
【０１３９】
一方、他の感光体２０に対して上流側となる位置に配備されたブラックの感光体２０Ｂには、中間転写ベルト１１ｄ（第一中間転写体）の位置とは別の位置に前転写ローラ（第２転写体）２０４ｄが対向配備され、前転写位置５７ｆｄが設定される。ここで、前転写ローラ２０４ｄは記録紙Ｐに一次転写させる位置ｓ１（図１５（ｂ）参照）と同位置から離脱した位置ｓ２（図１５（ａ）参照）とに第３離間機構２０３ｄにより切り換えられる。
【０１４０】
ここで、画像形成モードがフルカラーモードにあると、図１５（ａ）に示すように、懸架ローラ７２が駆動位置Ｐ１１に、懸架ローラ３３及び一次転写ローラ１２Ｂが駆動位置（実線位置）Ｐ２１に切り換わることで中間転写ベルト１１ｄが第一状態ｍ１に保持される。同時に、中間転写ローラ２００ｄが中間転写ベルト１１ｄより二次転写に先立ち仮二次転写位置ｐｄで仮二次転写されたトナー像を後二次転写位置５７ｒｄに移送して搬送路Ｒの記録材Ｐに後転写ローラ６６ｄを用いて二次転写可能な二次送り転写状態（図１５（ａ）参照））ｅ１に切り換え保持される。
【０１４１】
同時に前転写位置５７ｆｄの前転写ローラ２０４ｄが離脱位置ｓ２に切り換え保持される。これにより、画像形成モードがフルカラーモードに保持され、フルカラーのトナー像が後転写位置５７ｒｄにおいて記録紙Ｐに二次転写される。  
画像形成モードがモノクロモードにあると、中間転写ベルト１１ｄは第二状態（第二状態）ｍ２に保持される。図１５（ｂ）に示すように、懸架ローラ７２が駆動位置Ｐ１１のままで、懸架ローラ３３及び一次転写ローラ１２Ｂが離間位置Ｐ２２に切り換わることで第二状態（第二状態）ｍ２に保持される。同時に、中間転写ローラ２００ｄが仮二次転写位置ｐｄであって二次送り転写状態から離脱した状態（図１５（ｂ）参照）に第２離間機構２０２ｄにより切り換えられる。更に、前転写位置５７ｆｄの前転写ローラ２０４ｄが感光体２０Ｂに当接する駆動位置ｓ１に切換えられる。これにより、モノクロモードではブラックのトナー像を感光体２０Ｂより前転写位置５７ｆｄにおいて記録紙Ｐに一次転写（直接転写）できる。この際、中間転写ベルト１１ｄは停止され、あるいは空回転することとなる。
【０１４２】
画像形成モードが画像調整用パターンモードにあると、中間転写ベルト１１ｄは第一状態ｍ１に保持される。ここでは、図１６に示すように、中間転写ローラ２００ｄは仮二次転写位置ｐｄにあって後転写ローラ（第１転写体）６６ｄが第２離間機構２０２ｄにより二次送り転写状態から離脱した状態（図１６参照）に切り換えられる。同時に、前転写位置５７ｆｄの前転写ローラ２０４ｄが第３離間機構２０２ｄにより離脱位置ｓ２に切り換え保持される。  
この場合、図１６に示すように、中間転写ローラ２００ｄにはその回転方向において仮二次転写される位置ｐｄの下流側に画像検知手段２１０が接近配備され、その下流側にベルトクリーニング装置１３（図１に記載のものと同様の構成を採る）が配備される。
【０１４３】
この場合、各色の感光体２０上には４色の画像調整用パターン又は濃度調整用のラインまたはドットによる濃度階調パターンの画像信号に従って潜像が形成され、各現像装置により各色のトナー像が形成される。更に、一次転写により中間転写ベルト１１ｄに各トナー像が形成され、各色のトナー像は下流の仮二次転写位置ｐｄで中間転写ローラ２００ｄに仮二次転写される。  
この中間転写ローラ２００ｄは二次送り転写状態から離脱した状態（図１６参照）で回転しており、仮二次転写されたトナー像を画像検知手段２１０に移送する。画像検知手段２１０は検知した各色のトナー像に応じて、画像濃度や階調を修正する制御を容易に行え、その後、各色のトナー像は下流側のベルトクリーニング装置１３で除去される。
【０１４４】
このような第５実施形態は第１実施形態とほぼ同様の作用効果が得られる。特に、第１離間機構２０１ｄは第１、第２状態に切換えられるのみであり、装置の簡素化を図れる。更に、画像調整用パターンモードでは第１離間機構２０１ｄにより中間転写ベルト１１ｄを第１状態ｍ１に保持すると共に第２離間機構２０２ｄにより中間転写ローラ２００ｄを仮二次転写位置ｐｄでトナー像を仮二次転写された上で二次送り転写状態から離脱した状態（図１６参照）に切り換える。同時に、前転写位置５７ｆｄの前転写ローラ２０４ｄが離脱位置ｓ２に切り換え保持されることで、画像調整用パターンモードを容易に達成できる。しかも、ブラックを含む複数の像担持体上に形成した画像調整用のトナー付着パターン（画像調整用パターン）をすべて中間転写ローラ２００ｄ上に転写し、これを中間転写ローラ２００ｄの回転方向における下流側の画像検知手段２１０により検知し、画像濃度や階調を修正する制御を容易に行える。
【０１４５】
次に、第１実施形態でのカラーデジタル複合機１に採用できる画像形成部１００に代えて第６実施形態としてのカラーデジタル複合機１に採用できる画像形成部１００ｅを説明する。  
この第６実施形態の画像形成部１００ｅを図１７（ａ）、（ｂ）、図１８に示した。
【０１４６】
なお、第６実施形態の画像形成部１００ｅは第１実施形態での画像形成部１００と対比して重複する構成を多く含み、ここでは重複部材の説明を略し、重複部材及びそれに関連する部材には同一記号に添え字ｅを付記して重複説明の簡略化を図った。更に、この画像形成部１００ｅ以外のカラーデジタル複合機１の構成部分は同様に構成され、重複説明を略す。
【０１４７】
第６実施形態の画像形成部１００ｅは、装置本体９９（図１参照）の中央部に中間転写ベルト１１ｅがループ状を成して時計方向に回動可能に支持される。この中間転写ベルト１１ｅはその下部にベルト移動方向Ａ２に沿って直列に３色分の画像形成ユニット６０Ｙ、６０Ｃ、６０Ｍ、の画像形成ユニット６０が配置され、それら３つの画像形成ユニット６０の下流側で中間転写ベルト１１ｅの上側に、ブラックＢの画像形成ユニット６０Ｂが配備される。これに応じて、それら３つの画像形成ユニット６０の上流側で中間転写ベルト１１ｅの下側に懸架ローラ７２が、その上で中間転写ベルト１１ｅの上側に懸架ローラ３３が配備される。  
画像形成ユニット６０Ｂの感光体２０Ｂおよびこれと対向する位置の一次転写ローラ１２Ｂは中間転写ベルト１１ｅの上側部分に配備され、そこがブラックＢの一次転写位置Ｐｆ１を設定しており、第１実施形態と相違する。
【０１４８】
ここで、中間転写ベルト１１ｅの張架位置が第１離間機構２０１ｅにより第一状態ｍ１（図１７（ａ）に示す）、第二状態ｍ２（図１７（ｂ）に示す）に切換えられ、第三状態ｍ３は排除され、この点で第１実施形態と異なる。ここで、第二状態ｍ２では懸架ローラ３３及び一次転写ローラ１２Ｂが駆動位置Ｐ２１より離脱位置Ｐ２２に切り換わり、同時に懸架ローラ７２が中間転写ローラ２００ｅに当接する駆動位置Ｐ１１より離脱する離脱位置Ｐ１２に切り換わる。なお、搬送路Ｒの流路方向において前後２箇所に前後転写位置５７ｆｅ、５７ｒｅが設定される点で第１実施形態と同様である。
【０１４９】
図１７（ａ）に実線で示すように、懸架ローラ７２には中間転写ベルト１１ｅを挟んで中間転写ローラ（第二中間転写体）２００ｅが当接する。  
中間転写ローラ２００ｅは第１状態ｍ１の中間転写ベルト１１ｅより二次転写に先立ち仮二次転写位置ｐｄで仮二次転写されたフルカラーのトナー像を前転写位置５７ｆｅに移送する。更に、中間転写ローラ２００ｅは仮二次転写位置ｐｄとは別の位置となる前転写位置５７ｆｅで前転写ローラ（第１転写体）２０４ｅと対向する。
【０１５０】
ここで、中間転写ローラ２００ｅは第１状態ｍ１の中間転写ベルト１１ｅより二次転写に先立ち仮二次転写位置ｐｄで仮二次次転写されたフルカラーのトナー像を前転写位置５７ｆｅに移送して搬送路Ｒの記録材Ｐに前転写ローラ２０４ｅを用いて二次転写可能な二次送り転写状態（図１７（ａ）の実線で示す状態）に保持される。  
ここでは特に、前転写位置５７ｆｅに対向配備される中間転写ローラ２００ｅに代えて、前転写ローラ２０４ｅが第２離間機構２０２ｅにより、転写位置ｅ１と前転写位置５７ｆｅより離脱する離脱位置ｅ２とに切り換え保持される。
【０１５１】
このように前転写ローラ２０４ｅが離脱位置ｅ２に切り換えられると、中間転写ローラ２００ｅは仮二次転写位置ｐｄであって二次送り転写状態から離脱した状態（図１８参照）に保持される。同時に、後転写位置５７ｒｄの後転写ローラ６６ｅが第３離間機構２０３ｅにより離脱位置ｓ２に切り換え保持される。  
この場合、図１８に示すように、中間転写ローラ２００ｅにはその回転方向において仮二次転写される位置ｐｄの下流側に画像検知手段２１０が接近配備され、その下流側にベルトクリーニング装置１３（図１に記載のものと同様の構成を採る）が配備される。
【０１５２】
ここで、画像形成モードがフルカラーモードにあると、図１７（ａ）に示すように、懸架ローラ７２が駆動位置Ｐ１１に、懸架ローラ３３及び一次転写ローラ１２Ｂが駆動位置（実線位置）Ｐ２１に切り換わる。同時に、中間転写ローラ２００ｅが中間転写ベルト１１ｅより仮二次転写されたトナー像を前二次転写位置５７ｆｅに移送して搬送路Ｒの記録材Ｐに前転写ローラ２０４ｅを用いて二次転写可能な二次送り転写状態（図１７（ａ）参照））に切り換え保持される。
【０１５３】
同時に後転写位置５７ｒｅの後転写ローラ６６ｅが離脱位置ｓ２に切り換え保持される。これにより、画像形成モードがフルカラーモードに保持され、フルカラーのトナー像が前転写位置５７ｆｅにおいて記録紙Ｐに二次転写される。  
画像形成モードがモノクロモードにあると、図１７（ｂ）に示すように、懸架ローラ７２が離間位置Ｐ１２に、懸架ローラ３３及び一次転写ローラ１２Ｂが離間位置Ｐ２２に切り換わることで第二状態ｍ２に保持される。同時に、前転写位置５７ｆｅの前転写ローラ２０４ｅが離脱位置ｅ２に第２離間機構２０２ｅに切り換えられる。更に、後転写位置５７ｒｅの後転写ローラ６６ｅが感光体２０Ｂに当接する駆動位置ｓ１に切換えられる。  
これにより、モノクロモードではブラックのトナー像を感光体２０Ｂより後転写位置５７ｒｅにおいて記録紙Ｐに一次転写（直接転写）できる。この際、中間転写ベルト１１ｅは停止される。
【０１５４】
画像形成モードが画像調整用パターンモードにあると、図１８に示すように、前転写位置５７ｆｅの前転写ローラ２０４ｅが離脱位置ｅ２に保持され、中間転写ローラ２００ｅは仮二次転写位置ｐｄであって二次送り転写状態から離脱した状態（図１８参照）に保持され、ブラックのトナー像が感光体２０Ｂより一次転写位置Ｐｆ１において中間転写ベルト１１ｅに一次転写される状態に切り換わる。  
この場合、各色の感光体２０上には４色の画像調整用パターン又は濃度調整用のラインまたはドットによる濃度階調パターンの画像信号に従って潜像が形成され、各現像装置により各色のトナー像が形成される。更に、一次転写により中間転写ベルト１１ｄに各トナー像が形成され、各色のトナー像は下流の仮二次転写位置ｐｄで中間転写ローラ２００ｅに仮二次転写される。  
この中間転写ローラ２００ｅは二次送り転写状態から離脱した状態（図１８参照）で回転しており、仮二次転写されたトナー像を画像検知手段２１０に移送する。画像検知手段２１０は検知した各色のトナー像に応じて、画像濃度や階調を修正する制御を容易に行え、その後、各色のトナー像は下流側のベルトクリーニング装置１３で除去される。
【０１５５】
このような第６実施形態は第１実施形態とほぼ同様の作用効果が得られる。特に、第１離間機構２０１ｄは第１、第２状態に切換えられるのみであり、装置の簡素化を図れる。更に、画像調整用パターンモードでは第１離間機構２０１ｄにより中間転写ベルト１１ｄを第１状態ｍ１に保持すると共に第２離間機構２０２ｄにより中間転写ローラではなく、前転写ローラ２０４ｅを離脱位置ｓ２に切り換える。これにより、中間転写ローラ２００ｅはトナー像を仮二次転写された上で二次送り転写状態から離脱した状態（図１８参照）を保持できる。同時に、後転写位置５７ｒｅの後転写ローラ６６ｅが離脱位置ｓ２に切り換え保持されることで、画像調整用パターンモードを容易に達成できる。しかも、ブラックを含む複数の像担持体上に形成した画像調整用のトナー付着パターン（画像調整用パターン）をすべて中間転写ローラ２００ｅ上に転写し、これを中間転写ローラ２００ｅの回転方向における下流側の画像検知手段２１０により検知し、画像濃度や階調を修正する制御を容易に行える。
【０１５６】
次に、上述の第１、第３、第５実施形態として説明したカラーデジタル複合機１で用いている各画像形成部１００〜１００ｅの各構成を、図１９（ａ）〜（ｃ）を用いて、共通部分毎に集約した上で、説明する。なお、この集約した構成を考慮に入れて請求項１９、請求項２０を設けている。  
ここで、第１実施形態の画像形成部１００は、図１９（ａ）に示すように、第一のモード（モノクロモード）のとき、即ち、第１離間機構２０１が第２状態ｍ２の時には、ブラックの感光体２０Ｂ（第一潜像担持体）上にトナー像を形成し、中間転写ベルト１１（第１中間転写体）を介さず中間転写ローラ（第二中間転写体）２００を用いて記録紙Ｐへブラックのトナー像を転写する。
【０１５７】
一方、第二のモード（フルカラーモード）のとき、即ち、第１離間機構２０１が第１状態ｍ１の時には、ブラックの感光体２０Ｂ（第一潜像担持体）上およびブラック以外の複数の感光体２０Ｙ、２０Ｃ、２０Ｍ（複数のカラー感光体ドラム）上にカラーのトナー像を形成し、これらのトナー像が中間転写ベルト１１（第１中間転写体）上に転写された後、中間転写ベルト１１のトナー像を記録紙Ｐへ後転写ローラ（第１転写体）６６を用いて転写する。  
第一のモードと第二のモードとで、共に記録紙Ｐの同一側（図１９では左側）の面にフルカラーのトナーナ像が転写される。
【０１５８】
次に、第３実施形態の画像形成部１００ｂに関しては、図１９（ｂ）に示すように、第一のモード（モノクロモード）のとき、即ち、第１離間機構２０１ｂが第２状態ｍ２の時には、ブラックの感光体２０Ｂ上にトナー像を形成した上で、直接、第３離間機構２０３ｂが前転写ローラ（第２転写体）２０４ｂを駆動位置ｓ１に切換えることで、記録紙Ｐへブラックのトナー像を転写する。  
一方、第二のモード（フルカラーモード）のとき、即ち、第１離間機構２０１ｂが第１状態ｍ１の時には、ブラックの感光体２０Ｂ上にブラックのトナー像を形成し、これを中間転写ローラ（第二中間転写体）２００ｂを介して中間転写ベルト１１ｂ（第１中間転写体）上に転写し、同時にブラック以外の複数の感光体２０Ｙ、２０Ｃ、２０Ｍ上にカラーのトナー像を形成し、これを中間転写ベルト１１ｂ（第１中間転写体）上に転写し、その後、中間転写ベルト１１ｂのトナー像を記録紙Ｐへ後転写ローラ（第１転写体）６６ｂを用いて転写する。  
この場合も、第一のモードと第二のモードとで、共に記録紙Ｐの同一側（図１９では左側）の面にフルカラーのトナーナ像が転写される。
【０１５９】
次に、第５実施形態の画像形成部１００ｄに関しては、図１９（ｃ）に示すように、第一のモード（モノクロモード）のとき、即ち、第１離間機構２０１ｄが第２状態ｍ２の時には、ブラックの感光体２０Ｂ上にトナー像を形成した上で、直接、第３離間機構２０３ｄが前転写ローラ（第２転写体）２０４ｄを駆動位置ｓ１に切換えることで、記録紙Ｐへブラックのトナー像を転写する。  
一方、第二のモード（フルカラーモード）のとき、即ち、第１離間機構２０１ｄが第１状態ｍ１の時には、ブラックの感光体２０Ｂ上にブラックのトナー像を形成し、これを中間転写ベルト１１ｄ上に転写し、同時にブラック以外の複数の感光体２０Ｙ、２０Ｃ、２０Ｍ上にカラーのトナー像を形成し、これを中間転写ベルト１１ｄ上に転写し、その中間転写ベルト１１ｄのトナー像を中間転写ローラ（第二中間転写体）２００ｄを介して仮二次転写位置より二次転写位置に移送し、そこで記録紙Ｐへ後転写ローラ（第１転写体）６６ｄを介して転写する。
【０１６０】
この場合も、第一のモードと第二のモードとで、共に記録紙Ｐの同一側（図１９では左側）の面にフルカラーのトナーナ像が転写される。  
ここで、第５実施形態（図１９（ｃ）の場合）は中間転写ベルト１１（第１中間転写体）と複数の感光体２０の回転方向が第１、第３実施形態と逆回転となる。更に、第１実施形態（図１９（ａ）の場合）でブラックの感光体２０Ｂは右回転、第３、第５実施形態ではブラックの感光体２０Ｂは左回転となる。更に、第１、第５実施形態の中間転写ローラ（第二中間転写体）２００は右回転、第３実施形態（図１９（ｂ）の場合）では右回転となる。
【０１６１】
これらいずれの構成（実施例１〜６）を採用しても以下の効果がある。  
第一のモードのときに中間転写ベルト１１（第１中間転写体）を止めておくことができる。このため、従来のタンデム中間転写方式、例えば、中間転写ベルト（中間転写体）に対向して全ての色の画像形成ユニットの感光体が設けられ、いずれの感光体のトナー像も常に中間転写体を介して記録材へ転写する方式をとるような場合、例えば一つのブラック感光体のみ使用するモノクロモードであっても中間転写体を回転させる必要がある。このような従来のタンデム中間転写方式に比べて、第二潜像担持体や中間転写体の劣化が起こりにくくなるし、これらの部材を長寿命化できる。
【０１６２】
さらに、モードに関わらず記録材の同一側の面にトナー像が転写されるので、複数枚出力中に、第一のモードと第二のモードとを記録材ごとで切り替えて使用し、複数枚をまとめて出力する場合、例えば、印刷する複数枚の原稿中に、モノクロのページとフルカラーのページが混在している場合などに、記録材の画像形成面をそろえて出力することができる。モード切替えに伴って出力前に記録材を反転させる必要が無く、簡素な構成で使い勝手の良い画像形成動作が実現できる。
【０１６３】
また、第一のモードと第二のモードとにかかわらず、第一潜像担持体（例えば、図１９のブラックの感光体２０Ｂ）上の回転方向が同一なので、ブラックの感光体２０Ｂ周りの作像プロセスとして共通のものを使用でき、第一潜像担持体を簡単な構成にできる。また、第一潜像担持体の回転方向を変えるための機構を別途設けたり、制御を別途おこなう必要がなく、装置全体を簡単な構成にできる。
【０１６４】
次に、上述の第１〜第６実施形態として説明したカラーデジタル複合機１で用いる各画像形成部１００〜１００ｅの各構成部材の配置及び機能特性を対比して図２０に表示した。
【０１６５】
Ａ（転写紙へ先に転写される色（モード））に関して、第１、３、５実施形態ではブラックの転写が先である。この場合、転写紙Ｐを通じてブラックの感光体２０Ｂにカラー色が付着（逆転写）する不具合が無い。これに対し、第２、４、６実施形態ではフルカラーの転写が先である。この場合、転写紙Ｐを通じて中間転写ベルトにブラック色が付着（逆転写）する不具合が無い。
【０１６６】
Ｂ（中間転写ベルト１１上でブラック色の位置）に関して、第２、４、５実施形態ではブラックの感光体２０Ｂが最上流であり、この場合、中間転写ベルト１１上からブラックの感光体２０Ｂにカラー色が混入することがない。一方、第１、３、５実施形態ではブラックの感光体２０Ｂが最下流であり、この場合、カラー感光体（２０Ｙ、２０Ｃ、２０Ｍ）にブラック色が混入することがない。
【０１６７】
Ｃ（モノクロモード時の、ブラック色転写方式）に関して、第１、２実施形態では中間転写ローラ（第二中間転写体）２００を介して二次転写するが、この場合、ブラックの感光体２０Ｂに紙粉が混入する不具合がない。一方、第３〜６実施形態ではブラック色を直接転写するので、第二中間転写体２００を介さない分だけ紙への転写率が向上し、良好なモノクロ画像が得られる。
【０１６８】
Ｄ（中間転写ローラ（第二中間転写体）２００を設ける位置）に関して、第１、２実施形態では中間転写ローラ（第二中間転写体）２００を感光体２０Ｂと第２転写体２０４の間に設け、第３、４実施形態では中間転写ローラ（第二中間転写体）２００を感光体２０Ｂと中間転写ベルト１１の間に設け、第５実施形態では中間転写ローラ（第二中間転写体）２００を第１転写体６６ｄと感光体２０Ｂとの間に設け、第６実施形態では中間転写ローラ（第二中間転写体）２００を第１転写体６６ｅと感光体２０Ｂとの間に設け、それぞれに転写機能を発揮している。
【０１６９】
Ｅ（モノクロ・フルカラー時のブラック感光体２０Ｂの回転方向）に関して、第１〜第６実施形態でそれぞれ同一である。このため、逆回転の必要が無いという点と、モードによらず作像プロセスを共通化できるという点で、構成を簡易に出来る。
【０１７０】
上述のところで、カラーデジタル複合機１に採用できる第１〜第６実施形態の画像形成部１００を説明したが、このカラーデジタル複合機１に代えた他の画像形成装置にも第１〜第６実施形態の画像形成部１００を同様に適用でき、同様の作用効果が得られる。
【符号の説明】
【０１７１】
１    カラーデジタル複合機
８    露光装置（光学ユニット）
１０    中間転写ユニット
１１〜１１ｅ    中間転写ベルト
５７ｆ〜５７ｆｅ    前二次転写位置
５７ｒ〜５７ｒｅ    後二次転写位置
６０Ｙ、６０Ｃ、６０Ｍ、６０Ｂ    画像形成ユニット
６６〜６６ｅ    後転写ローラ
９９    装置本体
１００〜１００ｅ    画像形成部
２００〜２００ｅ    中間転写ローラ
２０１〜２０１ｅ    第１離間機構
２０２〜２０２ｅ    第２離間機構
２０３〜２０３ｅ    第３離間機構
２０４〜２０４ｅ    前転写ローラ
５００    制御部
ｍ１    第１状態
ｍ２    第２状態
ｕ１    二次転写させる位置
ｕ２    退避位置
Ｄ１、Ｄ２    離間距離
Ｐ    記録紙
Ｐ３１    一次転写される位置（転写位置）
Ｐ３２    離脱位置
Ｒ    搬送路
【先行技術文献】
【特許文献】
【０１７２】
【特許文献１】特開２００２−１８２４４７号公報
【特許文献２】特開２００６−２５１５３５号公報
【特許文献３】特開２００６−８５１３８号公報
【特許文献４】特開平１０−５５０９４号公報
【特許文献５】特開２００７−２７９６２４号公報
【図１】
0005510186.tif 000002
【図２】
0005510186.tif 000003
【図３】
0005510186.tif 000004
【図４】
0005510186.tif 000005
【図５】
0005510186.tif 000006
【図６】
0005510186.tif 000007
【図７】
0005510186.tif 000008
【図８】
0005510186.tif 000009
【図９】
0005510186.tif 000010
【図１０】
0005510186.tif 000011
【図１１】
0005510186.tif 000012
【図１２】
0005510186.tif 000013
【図１３】
0005510186.tif 000014
【図１４】
0005510186.tif 000015
【図１５】
0005510186.tif 000016
【図１６】
0005510186.tif 000017
【図１７】
0005510186.tif 000018
【図１８】
0005510186.tif 000019
【図１９】
0005510186.tif 000020
【図２０】
0005510186.tif 000021